(57)【特許請求の範囲】
【請求項１】
複数種類の制御コマンド情報を送信する主制御部と、中間部と、前記主制御部によって送信された制御コマンド情報に基づいて所定の処理を行う周辺部と、を備える電子機器において、
前記主制御部は、
前記主制御部の予め定められた記憶データに基づいて、予め定められた順番で並ぶ３種類以上の個体識別値を生成する個体識別値生成手段と、
前記個体識別値生成手段が生成した３種類以上の個体識別値の中から先頭の個体識別値を無作為に決定する決定手段と、
前記決定手段が決定した先頭の個体識別値から前記順番の並びの通りに前記３種類以上の個体識別値を記憶する個体識別値記憶手段と、
前記中間部を介して前記周辺部に送信した前記制御コマンド情報の履歴を示す履歴データを予め定められた履歴生成方式で生成する履歴データ生成手段と、
前記複数種類の制御コマンド情報の各々が有する相異なるコマンド値と乱数値とを予め定められた演算方式で演算する演算手段と、
前記個体識別値記憶手段が記憶している３種類以上の個体識別値の記憶順番の中から、前記演算手段の演算結果に対応する１つの記憶順番を抽出する抽出手段と、
前記抽出した記憶順番の個体識別値を予め定められた付加方式で前記履歴データに付加して認証情報を生成する認証情報生成手段と、
前記認証情報生成手段が生成した認証情報と前記制御コマンドを前記中間部に送信する主制御側送信手段と、を備え、
前記中間部は、
前記主制御部の前記３種類以上の個体識別値の各々に一致する３種類以上の期待値を記憶する期待値記憶手段と、
前記主制御部から前記認証情報と前記制御コマンド情報を受信する中間側受信手段と、
前記主制御部から受信した前記制御コマンド情報の履歴を示す中間側履歴データを前記主制御部と同一の前記履歴生成方式で生成する中間側履歴データ生成手段と、
前記受信した制御コマンド情報のコマンド値に基づいて、前記主制御部が前記３種類以上の個体識別値の記憶順番の中から抽出対象とする記憶順番を特定する特定手段と、
前記３種類以上の期待値の各々を、前記主制御部と同一の前記付加方式で前記受信した認証情報から取り除いて３種類以上の認証用履歴データを抽出する第１抽出手段と、
前記第１抽出手段が抽出した３種類以上の認証用履歴データのうちの前記中間側履歴データと一致した認証用履歴データに対応する前記個体識別値と前記特定した記憶順番とに基づいて、前記主制御部における前記個体識別値の記憶順番を確定する記憶順番確定手段と、
前記記憶順番確定手段が確定した前記記憶順番の中で前記特定した記憶順番に対応する前記個体識別値に一致する前記期待値を、前記主制御部と同一の前記付加方式で前記受信した認証情報から取り除いて認証用履歴データを抽出する第２抽出手段と、
前記第２抽出手段が抽出した認証用履歴データと前記中間側履歴データとが一致するか否かの判定結果に基づいて、前記主制御部の認証結果を示す中間認証結果データを生成する中間認証結果データ生成手段と、
前記生成した中間認証結果データと前記制御コマンド情報を前記周辺部に送信する中間側送信手段と、を備え、
前記周辺部は、
前記中間部から前記中間認証結果データと前記制御コマンド情報を受信する周辺側受信手段と、
前記受信した中間認証結果データに応じて前記制御コマンド情報に基づいた前記所定の処理を行う処理手段と、を備えることを特徴とする電子機器。
【請求項２】
請求項１に記載の電子機器を備える遊技機であって、
前記主制御部を備える主制御基板と、前記中間部と前記周辺部とを備える周辺基板と、を備え、
前記主制御基板は、前記認証情報を前記周辺基板の中間部に送信し、
前記周辺基板の中間部は、前記主制御基板から受信した認証情報に基づいて前記主制御基板の認証を行うようにしたことを特徴とする遊技機。
【請求項３】
複数種類の制御コマンド情報を送信する主制御部と、中間部と、前記主制御部によって送信された制御コマンド情報に基づいて所定の処理を行う周辺部と、を備える電子機器の認証方法において、
前記主制御部は、
前記主制御部の予め定められた記憶データに基づいて、予め定められた順番で並ぶ３種類以上の個体識別値を生成する個体識別値生成工程と、
前記個体識別値生成工程で生成した３種類以上の個体識別値の中から先頭の個体識別値を無作為に決定する決定工程と、
前記決定工程で決定した先頭の個体識別値から前記順番の並びの通りに前記３種類以上の個体識別値を個体識別値記憶手段に記憶する個体識別値記憶工程と、
前記中間部を介して周辺部に送信した前記制御コマンド情報の履歴を示す履歴データを予め定められた履歴生成方式で生成する履歴データ生成工程と、
前記複数種類の制御コマンド情報の各々が有する相異なるコマンド値と乱数値とを予め定められた演算方式で演算する演算工程と、
前記個体識別値記憶手段が記憶している３種類以上の個体識別値の記憶順番の中から、前記演算工程の演算結果に対応する１つの記憶順番を抽出する抽出工程と、
前記抽出工程で抽出した記憶順番の個体識別値を予め定められた付加方式で前記履歴データに付加して認証情報を生成する認証情報生成工程と、
前記認証情報生成工程で生成した認証情報を前記中間部に送信する主制御側送信工程と、を備え、
前記中間部は、
前記主制御部の前記３種類以上の個体識別値の各々と一致する３種類以上の期待値が期待値記憶手段に予め記憶される期待値記憶工程と、
前記主制御部から前記認証情報を受信する中間側受信工程と、
前記主制御部から受信した前記制御コマンド情報の履歴を示す中間側履歴データを前記主制御部と同一の前記履歴生成方式で生成する中間側履歴データ生成工程と、
前記受信した制御コマンド情報のコマンド値に基づいて、前記主制御部が前記３種類以上の個体識別値の記憶順番の中から抽出対象とする記憶順番を特定する特定工程と、
前記３種類以上の期待値の各々を、前記主制御部と同一の前記付加方式で前記受信した認証情報から取り除いて３種類以上の認証用履歴データを抽出する第１抽出工程と、
前記第１抽出工程で抽出した３種類以上の認証用履歴データのうちの前記中間側履歴データと一致した認証用履歴データに対応する前記個体識別値と前記特定した記憶順番とに基づいて、前記主制御部における前記個体識別値の記憶順番を確定する記憶順番確定工程と、
前記記憶順番確定工程で確定した前記記憶順番の中で前記特定した記憶順番に対応する前記個体識別値に一致する前記期待値を、前記主制御部と同一の前記付加方式で前記主制御部から受信した認証情報から取り除いて認証用履歴データを抽出する第２抽出工程と、
前記第２抽出工程で抽出した認証用履歴データと前記中間側履歴データとが一致するか否かの判定結果に基づいて、前記主制御部の認証結果を示す中間認証結果データを生成する中間認証結果データ生成工程と、
前記生成した中間認証結果データを前記周辺部に送信する中間側送信工程と、を備え、
前記周辺部は、
前記中間部から前記中間認証結果データを受信する周辺側受信工程と、
前記受信した中間認証結果データに応じて、前記中間部から受信した制御コマンドに基づいた前記所定の処理を行う処理工程と、を備えることを特徴とする電子機器の認証方法。
【請求項４】
複数種類の制御コマンド情報を送信する主制御部と、中間部と、前記主制御部によって送信された制御コマンド情報に基づいて所定の処理を行う周辺部と、を備える電子機器の認証方法において、
前記複数種類の制御コマンド情報の各々に対して、前記制御コマンド情報を識別し且つ乱数値との演算によって１つの個体識別値を特定するためのコマンド値を設定する設定工程を備え、
前記主制御部は、
前記主制御部の予め定められた記憶データに基づいて、予め定められた順番で並ぶ３種類以上の個体識別値を生成する個体識別値生成工程と、
前記個体識別値生成工程で生成した３種類以上の個体識別値の中から先頭の個体識別値を無作為に決定する決定工程と、
前記決定工程で決定した先頭の個体識別値から前記順番の並びの通りに前記３種類以上の個体識別値を個体識別値記憶手段に記憶する個体識別値記憶工程と、
前記中間部を介して周辺部に送信した前記制御コマンド情報の履歴を示す履歴データを予め定められた履歴生成方式で生成する履歴データ生成工程と、
前記複数種類の制御コマンド情報の各々が有する相異なるコマンド値と乱数値とを予め定められた演算方式で演算する演算工程と、
前記個体識別値記憶手段が記憶している３種類以上の個体識別値の記憶順番の中から、前記演算工程の演算結果に対応する１つの記憶順番を抽出する抽出工程と、
前記抽出工程で抽出した記憶順番の個体識別値を予め定められた付加方式で前記履歴データに付加して認証情報を生成する認証情報生成工程と、
前記認証情報生成工程で生成した認証情報を前記中間部に送信する主制御側送信工程と、を備え、
前記中間部は、
前記主制御部の前記３種類以上の個体識別値の各々と一致する３種類以上の期待値が期待値記憶手段に予め記憶される期待値記憶工程と、
前記主制御部から前記認証情報を受信する中間側受信工程と、
前記主制御部から受信した前記制御コマンド情報の履歴を示す中間側履歴データを前記主制御部と同一の前記履歴生成方式で生成する中間側履歴データ生成工程と、
前記受信した制御コマンド情報のコマンド値に基づいて、前記主制御部が前記３種類以上の個体識別値の記憶順番の中から抽出対象とする記憶順番を特定する特定工程と、
前記３種類以上の期待値の各々を、前記主制御部と同一の前記付加方式で前記受信した認証情報から取り除いて３種類以上の認証用履歴データを抽出する第１抽出工程と、
前記第１抽出工程で抽出した３種類以上の認証用履歴データのうちの前記中間側履歴データと一致した認証用履歴データに対応する前記個体識別値と前記特定した記憶順番とに基づいて、前記主制御部における前記個体識別値の記憶順番を確定する記憶順番確定工程と、
前記記憶順番確定工程で確定した前記記憶順番の中で前記特定した記憶順番に対応する前記個体識別値に一致する前記期待値を、前記主制御部と同一の前記付加方式で前記主制御部から受信した認証情報から取り除いて認証用履歴データを抽出する第２抽出工程と、
前記第２抽出工程で抽出した認証用履歴データと前記中間側履歴データとが一致するか否かの判定結果に基づいて、前記主制御部の認証結果を示す中間認証結果データを生成する中間認証結果データ生成工程と、
前記生成した中間認証結果データを前記周辺部に送信する中間側送信工程と、を備え、
前記周辺部は、
前記中間部から前記中間認証結果データを受信する周辺側受信工程と、
前記受信した中間認証結果データに応じて、前記中間部から受信した制御コマンドに基づいた前記所定の処理を行う処理工程と、を備えることを特徴とする電子機器の認証方法。
【発明の詳細な説明】
【技術分野】
【０００１】
本発明は、複数の基板を備え、これらの基板間の通信の認証を行う電子機器、遊技機及び電子機器の認証方法に関する。
【背景技術】
【０００２】
従来、複数の基板を備えた遊技機において、これら各基板に対する不正を防止するための様々な技術が提案されている。複数の基板を備えた遊技機とは、たとえば、ぱちんこ遊技機などがある。ぱちんこ遊技機には、遊技機全体の動作を司る主制御基板と、遊技機の各部の動作をおこなう被制御基板（周辺基板）とを備えている。この主制御基板は、周辺基板に制御コマンド情報を含む制御信号を出力し、その他の周辺基板は、主制御基板から送信された制御信号にしたがって動作を実行する機能を備えている。
【０００３】
このような構成の遊技機の場合、主制御基板に対する不正としては、たとえば、正規の主制御基板を不正な制御基板に取り替えたり、主制御基板がおこなう処理を規定したプログラムコードを改ざんしたりといった手法がある。このような不正を防止するため、たとえば、主制御基板内に搭載されたＲＯＭに記録されているプログラムデータをＲＯＭチェッカによってチェックして、ＲＯＭの不正交換などを防止する技術が提案されている（たとえば、下記特許文献１参照。）。
【０００４】
また、特許文献２には、主制御基板からサブ制御基板に制御コマンド情報を送信し、さらに所定の通信経路における制御コマンド情報の通信状態を監視するための状態監視コマンドを送信し、サブ制御基板が状態監視コマンドを用いて制御コマンド情報の正当性を検証し、誤りがあると判定した場合には制御対象の制御を停止する構成が記載されている。
【先行技術文献】
【特許文献】
【０００５】
【特許文献１】特開平１１−３３３１０８号公報
【特許文献２】特開２００２−１８０９５号公報
【発明の概要】
【発明が解決しようとする課題】
【０００６】
しかしながら、上述した特許文献１の場合、プログラムデータの改ざんは検知できるが、正規の主制御用基板と被制御基板との間に不正な制御基板が接続されてしまうと、この不正な制御基板から出力される不正な制御信号による不正制御を防止することができないという問題があった。
【０００７】
また、上述した特許文献２のように、制御コマンド情報とは別の状態監視コマンドを主制御基板から被制御基板に送信する場合、遊技機は不正行為（「ゴト」行為）が行われる可能性があり、主制御側と被制御側との間に介在した前記不正な制御基板等によって状態監視コマンドが不正に解析されやすいため、その解析を困難にできないと、特許文献２の構成等を遊技機で実現させるのが困難であった。さらに、送信する際に複雑な暗号化をしてしまうと、正規な主制御基板及び被制御基板の各々の処理が複雑化して処理負担が増加してしまうという問題が生じてしまう。また、主制御部の処理負担を認証処理のために増加させることができないという遊技機の特有の問題もあった。
【０００８】
さらに、最近では、遊技の興趣向上を図るために、リーチや大当たり等の際に遊技者の視覚や聴覚に訴える演出が多様となる傾向にある。そのため、周辺部（周辺基板）側のＣＰＵに既存の処理の他に認証処理を実行させようとすると、ＣＰＵの処理負荷が増大して処理速度が低下してしまい、演出のための表示がスムーズに行われなかったり、最悪の場合には、認証処理自体を追加できなかったりするなどの問題があった。また、主制御部の処理負担を認証処理のために増加させることができないという遊技機の特有の問題もあった。
【０００９】
この発明は、上述した従来技術による問題点を解消するため、既存の構成を利用し且つ主制御部の処理負担を最小限にして、制御コマンド情報の通信継続性が確認できて、認証に用いる認証情報の解析を困難にすることができ且つ周辺部のＣＰＵの処理負荷を軽減することができる電子機器、遊技機及び電子機器の認証方法を提供することを目的とする。
【課題を解決するための手段】
【００１０】
本発明にかかる請求項１記載の電子機器は、複数種類の制御コマンド情報を送信する主制御部と、中間部と、前記主制御部によって送信された制御コマンド情報に基づいて所定の処理を行う周辺部と、を備える電子機器において、前記主制御部は、前記主制御部の予め定められた記憶データに基づいて、予め定められた順番で並ぶ３種類以上の個体識別値を生成する個体識別値生成手段と、前記個体識別値生成手段が生成した３種類以上の個体識別値の中から先頭の個体識別値を無作為に決定する決定手段と、前記決定手段が決定した先頭の個体識別値から前記順番の並びの通りに前記３種類以上の個体識別値を記憶する個体識別値記憶手段と、前記中間部を介して前記周辺部に送信した前記制御コマンド情報の履歴を示す履歴データを予め定められた履歴生成方式で生成する履歴データ生成手段と、前記複数種類の制御コマンド情報の各々が有する相異なるコマンド値と乱数値とを予め定められた演算方式で演算する演算手段と、前記個体識別値記憶手段が記憶している３種類以上の個体識別値の記憶順番の中から、前記演算手段の演算結果に対応する１つの記憶順番を抽出する抽出手段と、前記抽出した記憶順番の個体識別値を予め定められた付加方式で前記履歴データに付加して認証情報を生成する認証情報生成手段と、前記認証情報生成手段が生成した認証情報と前記制御コマンドを前記中間部に送信する主制御側送信手段と、を備え、前記中間部は、前記主制御部の前記３種類以上の個体識別値の各々に一致する３種類以上の期待値を記憶する期待値記憶手段と、前記主制御部から前記認証情報と前記制御コマンド情報を受信する中間側受信手段と、前記主制御部から受信した前記制御コマンド情報の履歴を示す中間側履歴データを前記主制御部と同一の前記履歴生成方式で生成する中間側履歴データ生成手段と、前記受信した制御コマンド情報のコマンド値に基づいて、前記主制御部が前記３種類以上の個体識別値の記憶順番の中から抽出対象とする記憶順番を特定する特定手段と、前記３種類以上の期待値の各々を、前記主制御部と同一の前記付加方式で前記受信した認証情報から取り除いて３種類以上の認証用履歴データを抽出する第１抽出手段と、前記第１抽出手段が抽出した３種類以上の認証用履歴データのうちの前記中間側履歴データと一致した認証用履歴データに対応する前記個体識別値と前記特定した記憶順番とに基づいて、前記主制御部における前記個体識別値の記憶順番を確定する記憶順番確定手段と、前記記憶順番確定手段が確定した前記記憶順番の中で前記特定した記憶順番に対応する前記個体識別値に一致する前記期待値を、前記主制御部と同一の前記付加方式で前記受信した認証情報から取り除いて認証用履歴データを抽出する第２抽出手段と、前記第２抽出手段が抽出した認証用履歴データと前記中間側履歴データとが一致するか否かの判定結果に基づいて、前記主制御部の認証結果を示す中間認証結果データを生成する中間認証結果データ生成手段と、前記生成した中間認証結果データと前記制御コマンド情報を前記周辺部に送信する中間側送信手段と、を備え、前記周辺部は、前記中間部から前記中間認証結果データと前記制御コマンド情報を受信する周辺側受信手段と、前記受信した中間認証結果データに応じて前記制御コマンド情報に基づいた前記所定の処理を行う処理手段と、を備えることを特徴とする。
【００１１】
本発明にかかる請求項２記載の遊技機は、請求項１に記載の電子機器を備える遊技機であって、前記主制御部を備える主制御基板と、前記中間部と前記周辺部とを備える周辺基板と、を備え、前記主制御基板は、前記認証情報を前記周辺基板の中間部に送信し、前記周辺基板の中間部は、前記主制御基板から受信した認証情報に基づいて前記主制御基板の認証を行うようにしたことを特徴とする。
【００１２】
本発明にかかる請求項３記載の電子機器の認証方法は、複数種類の制御コマンド情報を送信する主制御部と、中間部と、前記主制御部によって送信された制御コマンド情報に基づいて所定の処理を行う周辺部と、を備える電子機器の認証方法において、前記主制御部は、前記主制御部の予め定められた記憶データに基づいて、予め定められた順番で並ぶ３種類以上の個体識別値を生成する個体識別値生成工程と、前記個体識別値生成工程で生成した３種類以上の個体識別値の中から先頭の個体識別値を無作為に決定する決定工程と、前記決定工程で決定した先頭の個体識別値から前記順番の並びの通りに前記３種類以上の個体識別値を個体識別値記憶手段に記憶する個体識別値記憶工程と、前記中間部を介して周辺部に送信した前記制御コマンド情報の履歴を示す履歴データを予め定められた履歴生成方式で生成する履歴データ生成工程と、前記複数種類の制御コマンド情報の各々が有する相異なるコマンド値と乱数値とを予め定められた演算方式で演算する演算工程と、前記個体識別値記憶手段が記憶している３種類以上の個体識別値の記憶順番の中から、前記演算工程の演算結果に対応する１つの記憶順番を抽出する抽出工程と、前記抽出工程で抽出した記憶順番の個体識別値を予め定められた付加方式で前記履歴データに付加して認証情報を生成する認証情報生成工程と、前記認証情報生成工程で生成した認証情報を前記中間部に送信する主制御側送信工程と、を備え、前記中間部は、前記主制御部の前記３種類以上の個体識別値の各々と一致する３種類以上の期待値が期待値記憶手段に予め記憶される期待値記憶工程と、前記主制御部から前記認証情報を受信する中間側受信工程と、前記主制御部から受信した前記制御コマンド情報の履歴を示す中間側履歴データを前記主制御部と同一の前記履歴生成方式で生成する中間側履歴データ生成工程と、前記受信した制御コマンド情報のコマンド値に基づいて、前記主制御部が前記３種類以上の個体識別値の記憶順番の中から抽出対象とする記憶順番を特定する特定工程と、前記３種類以上の期待値の各々を、前記主制御部と同一の前記付加方式で前記受信した認証情報から取り除いて３種類以上の認証用履歴データを抽出する第１抽出工程と、前記第１抽出工程で抽出した３種類以上の認証用履歴データのうちの前記中間側履歴データと一致した認証用履歴データに対応する前記個体識別値と前記特定した記憶順番とに基づいて、前記主制御部における前記個体識別値の記憶順番を確定する記憶順番確定工程と、前記記憶順番確定工程で確定した前記記憶順番の中で前記特定した記憶順番に対応する前記個体識別値に一致する前記期待値を、前記主制御部と同一の前記付加方式で前記主制御部から受信した認証情報から取り除いて認証用履歴データを抽出する第２抽出工程と、前記第２抽出工程で抽出した認証用履歴データと前記中間側履歴データとが一致するか否かの判定結果に基づいて、前記主制御部の認証結果を示す中間認証結果データを生成する中間認証結果データ生成工程と、前記生成した中間認証結果データを前記周辺部に送信する中間側送信工程と、を備え、前記周辺部は、前記中間部から前記中間認証結果データを受信する周辺側受信工程と、前記受信した中間認証結果データに応じて、前記中間部から受信した制御コマンドに基づいた前記所定の処理を行う処理工程と、を備えることを特徴とする。
【００１３】
本発明にかかる請求項４記載の電子機器の認証方法は、複数種類の制御コマンド情報を送信する主制御部と、中間部と、前記主制御部によって送信された制御コマンド情報に基づいて所定の処理を行う周辺部と、を備える電子機器の認証方法において、前記複数種類の制御コマンド情報の各々に対して、前記制御コマンド情報を識別し且つ乱数値との演算によって１つの個体識別値を特定するためのコマンド値を設定する設定工程を備え、前記主制御部は、前記主制御部の予め定められた記憶データに基づいて、予め定められた順番で並ぶ３種類以上の個体識別値を生成する個体識別値生成工程と、前記個体識別値生成工程で生成した３種類以上の個体識別値の中から先頭の個体識別値を無作為に決定する決定工程と、前記決定工程で決定した先頭の個体識別値から前記順番の並びの通りに前記３種類以上の個体識別値を個体識別値記憶手段に記憶する個体識別値記憶工程と、前記中間部を介して周辺部に送信した前記制御コマンド情報の履歴を示す履歴データを予め定められた履歴生成方式で生成する履歴データ生成工程と、前記複数種類の制御コマンド情報の各々が有する相異なるコマンド値と乱数値とを予め定められた演算方式で演算する演算工程と、前記個体識別値記憶手段が記憶している３種類以上の個体識別値の記憶順番の中から、前記演算工程の演算結果に対応する１つの記憶順番を抽出する抽出工程と、前記抽出工程で抽出した記憶順番の個体識別値を予め定められた付加方式で前記履歴データに付加して認証情報を生成する認証情報生成工程と、前記認証情報生成工程で生成した認証情報を前記中間部に送信する主制御側送信工程と、を備え、前記中間部は、前記主制御部の前記３種類以上の個体識別値の各々と一致する３種類以上の期待値が期待値記憶手段に予め記憶される期待値記憶工程と、前記主制御部から前記認証情報を受信する中間側受信工程と、前記主制御部から受信した前記制御コマンド情報の履歴を示す中間側履歴データを前記主制御部と同一の前記履歴生成方式で生成する中間側履歴データ生成工程と、前記受信した制御コマンド情報のコマンド値に基づいて、前記主制御部が前記３種類以上の個体識別値の記憶順番の中から抽出対象とする記憶順番を特定する特定工程と、前記３種類以上の期待値の各々を、前記主制御部と同一の前記付加方式で前記受信した認証情報から取り除いて３種類以上の認証用履歴データを抽出する第１抽出工程と、前記第１抽出工程で抽出した３種類以上の認証用履歴データのうちの前記中間側履歴データと一致した認証用履歴データに対応する前記個体識別値と前記特定した記憶順番とに基づいて、前記主制御部における前記個体識別値の記憶順番を確定する記憶順番確定工程と、前記記憶順番確定工程で確定した前記記憶順番の中で前記特定した記憶順番に対応する前記個体識別値に一致する前記期待値を、前記主制御部と同一の前記付加方式で前記主制御部から受信した認証情報から取り除いて認証用履歴データを抽出する第２抽出工程と、前記第２抽出工程で抽出した認証用履歴データと前記中間側履歴データとが一致するか否かの判定結果に基づいて、前記主制御部の認証結果を示す中間認証結果データを生成する中間認証結果データ生成工程と、前記生成した中間認証結果データを前記周辺部に送信する中間側送信工程と、を備え、前記周辺部は、前記中間部から前記中間認証結果データを受信する周辺側受信工程と、前記受信した中間認証結果データに応じて、前記中間部から受信した制御コマンドに基づいた前記所定の処理を行う処理工程と、を備えることを特徴とする。
【００１４】
上記請求項１、３に記載した本発明によれば、主制御部は、例えば、起動時、リセット時、等の予め定められたタイミングに、予め定められた記憶データに基づいて３種類以上の個体識別値を予め定められた順番の並びで生成すると、当該３種類以上の個体識別値の中から先頭の個体識別値を決定し、該決定した先頭の個体識別値から予め定められた順番の並びの通り３種類以上の個体識別値を個体識別値記憶手段に記憶する。そして、主制御部は、電子機器の動作に応じて制御コマンド情報を周辺部に中間部を介して送信すると、その履歴を示す履歴データを履歴生成方式で生成する。主制御部は、制御コマンド情報のコマンド値と乱数値とを予め定められた演算方式で演算し、個体識別値記憶手段に記憶している３種類以上の個体識別値の記憶順番の中から、その演算結果に対応する１つの記憶順番を抽出する。主制御部は、該抽出した記憶順番の個体識別値を予め定められた付加方式で履歴データに付加した認証情報を生成して中間部に送信することができる。一方、中間部の期待値記憶手段には、主制御部が生成すべき３種類以上の個体識別値の各々と一致する３種類以上の期待値が予め記憶される。そして、中間部は、主制御部から制御コマンド情報を受信すると、該制御コマンド情報を周辺部に転送すると共に、主制御部から受信した制御コマンド情報の履歴を示す中間側履歴データを、主制御部と同一の履歴生成方式で生成する。中間部は、主制御部から受信した制御コマンド情報のコマンド値に基づいて、当該主制御部が３種類以上の個体識別値の記憶順番の中から抽出対象とする記憶順番を特定する。中間部は、期待値記憶手段に記憶している３種類以上の期待値の各々を、主制御部と同一の付加方式で前記受信した認証情報から取り除いて３種類以上の認証用履歴データを抽出すると、該抽出した３種類以上の認証用履歴データのうちの中間側履歴データと一致した認証用履歴データに対応する個体識別値と前記特定した記憶順番とに基づいて、主制御部における個体識別値の記憶順番を確定することができる。そして、中間部は、個体識別値の記憶順番が確定した後、主制御部から受信した制御コマンド情報を周辺部に転送すると共に、そのコマンド値に基づいて記憶順番を特定すると、該記憶順番に対応する個体識別値に一致する期待値を、主制御部から受信した認証情報から前記付加方式で取り除いて認証用履歴データを抽出する。そして、中間部は、前記抽出した認証用履歴データと中間側履歴データとが一致するか否かに基づいて判定した主制御部の認証結果を示す中間認証結果データを生成して周辺部に送信することができる。一方、周辺部は、中間部から受信した中間認証結果データに応じて、主制御部から受信した制御コマンド情報に基づいた電子機器における所定の処理を行うことができる。
【００１５】
上記請求項２に記載した本発明によれば、主制御基板は、例えば、起動時、リセット時、等の予め定められたタイミングに、予め定められた記憶データに基づいて３種類以上の個体識別値を予め定められた順番の並びで生成すると、当該３種類以上の個体識別値の中から先頭の個体識別値を決定し、該決定した先頭の個体識別値から予め定められた順番の並びの通り３種類以上の個体識別値を個体識別値記憶手段に記憶する。そして、主制御基板は、遊技機の動作に応じて制御コマンド情報を周辺基板の周辺部に中間部を介して送信すると、その履歴を示す履歴データを履歴生成方式で生成する。主制御基板は、制御コマンド情報のコマンド値と乱数値とを予め定められた演算方式で演算し、個体識別値記憶手段に記憶している３種類以上の個体識別値の記憶順番の中から、その演算結果に対応する１つの記憶順番を抽出する。主制御基板は、該抽出した記憶順番の個体識別値を予め定められた付加方式で履歴データに付加して認証情報を生成して周辺基板の中間部に送信することができる。一方、周辺基板の中間部の期待値記憶手段には、主制御基板が生成すべき３種類以上の個体識別値の各々と一致する３種類以上の期待値が予め記憶される。そして、中間部は、主制御基板から制御コマンド情報を受信すると、該制御コマンド情報を周辺部に転送すると共に、主制御基板から受信した制御コマンド情報の履歴を示す中間側履歴データを、主制御基板と同一の履歴生成方式で生成する。中間部は、主制御基板から受信した制御コマンド情報のコマンド値に基づいて、当該主制御基板が３種類以上の個体識別値の記憶順番の中から抽出対象とする記憶順番を特定する。中間部は、期待値記憶手段に記憶している３種類以上の期待値の各々を、主制御基板と同一の付加方式で前記受信した認証情報から取り除いて３種類以上の認証用履歴データを抽出すると、該抽出した３種類以上の認証用履歴データのうちの中間側履歴データと一致した認証用履歴データに対応する個体識別値と前記特定した記憶順番とに基づいて、主制御部における個体識別値の記憶順番を確定することができる。そして、中間部は、個体識別値の記憶順番が確定した後、主制御基板から受信した制御コマンド情報を周辺部に転送すると共に、そのコマンド値に基づいて記憶順番を特定すると、該記憶順番に対応する個体識別値に一致する期待値を、主制御基板から受信した認証情報から前記付加方式で取り除いて認証用履歴データを抽出する。そして、中間部は、前記抽出した認証用履歴データと中間側履歴データとが一致するか否かに基づいて判定した主制御基板の認証結果を示す中間認証結果データを生成して周辺部に送信することができる。一方、周辺基板の周辺部は、中間部から受信した中間認証結果データに応じて、主制御基板から受信した制御コマンド情報に基づいた遊技機における所定の処理を行うことができる。
【００１６】
上記請求項４に記載した本発明によれば、例えば、電子機器の設計から製造時までの間に、電子機器における複数種類の制御コマンド情報の各々に対して、制御コマンド情報を識別し且つ乱数値との演算によって１つの個体識別値を特定するためのコマンド値を設定することができる。そして、主制御部は、例えば、起動時、リセット時、等の予め定められたタイミングに、予め定められた記憶データに基づいて３種類以上の個体識別値を予め定められた順番の並びで生成すると、当該３種類以上の個体識別値の中から先頭の個体識別値を決定し、該決定した先頭の個体識別値から予め定められた順番の並びの通り３種類以上の個体識別値を個体識別値記憶手段に記憶する。そして、主制御部は、電子機器の動作に応じて制御コマンド情報を周辺部に中間部を介して送信すると、その履歴を示す履歴データを履歴生成方式で生成する。主制御部は、制御コマンド情報のコマンド値と乱数値とを予め定められた演算方式で演算し、個体識別値記憶手段に記憶している３種類以上の個体識別値の記憶順番の中から、その演算結果に対応する１つの記憶順番を抽出する。主制御部は、該抽出した記憶順番の個体識別値を予め定められた付加方式で履歴データに付加した認証情報を生成して中間部に送信することができる。一方、中間部の期待値記憶手段には、主制御部が生成すべき３種類以上の個体識別値の各々と一致する３種類以上の期待値が予め記憶される。そして、中間部は、主制御部から制御コマンド情報を受信すると、該制御コマンド情報を周辺部に転送すると共に、主制御部から受信した制御コマンド情報の履歴を示す中間側履歴データを、主制御部と同一の履歴生成方式で生成する。中間部は、主制御部から受信した制御コマンド情報のコマンド値に基づいて、当該主制御部が３種類以上の個体識別値の記憶順番の中から抽出対象とする記憶順番を特定する。中間部は、期待値記憶手段に記憶している３種類以上の期待値の各々を、主制御部と同一の付加方式で前記受信した認証情報から取り除いて３種類以上の認証用履歴データを抽出すると、該抽出した３種類以上の認証用履歴データのうちの中間側履歴データと一致した認証用履歴データに対応する個体識別値と前記特定した記憶順番とに基づいて、主制御部における個体識別値の記憶順番を確定することができる。そして、中間部は、個体識別値の記憶順番が確定した後、主制御部から受信した制御コマンド情報を周辺部に転送すると共に、そのコマンド値に基づいて記憶順番を特定すると、該記憶順番に対応する個体識別値に一致する期待値を、主制御部から受信した認証情報から前記付加方式で取り除いて認証用履歴データを抽出する。そして、中間部は、前記抽出した認証用履歴データと中間側履歴データとが一致するか否かに基づいて判定した主制御部の認証結果を示す中間認証結果データを生成して周辺部に送信することができる。一方、周辺部は、中間部から受信した中間認証結果データに応じて、主制御部から受信した制御コマンド情報に基づいた電子機器における所定の処理を行うことができる。
【発明の効果】
【００１７】
以上説明したように本発明によれば、主制御部は並び順が予め定められた３種類以上の個体識別値を無作為にローテートさせた記憶順番で記憶し、そして、既存の制御コマンド情報のコマンド値と乱数値とを演算するだけで、該演算結果に対応した記憶順番から１つの個体識別値を３種類以上の個体識別値の中から抽出し、該抽出した個体識別値を履歴データに付加した認証情報を生成して中間部に送信するようにしたことから、中間部が認証情報の履歴データを主制御部の認証に用いても、履歴データに付加された個体識別値は乱数値によって不規則に変化するため、認証情報の規則性がなくなり、認証情報に対する不正解析の防止を期待することができる。また、主制御部が３種類以上の個体識別値を主制御部の記憶データに基づいて並び順の通り生成するようにしたことから、３種類以上の個体識別値を主制御部に予め記憶しておく必要がなくなるため、主制御部の認証のために予め記憶しておくデータ量の増加を抑制することができる。そして、主制御部は認証情報の生成時までに３種類以上の個体識別値を予め記憶しておくことができるため、認証情報の生成時に複雑な演算を行う必要がなくなり、主制御部の処理負担の増加を防止できる。しかも、主制御部における３種類以上の個体識別値の記憶順番は無作為に変化することから、該記憶順番に基づいて抽出する個体識別値が変化するため、履歴データに付加する個体識別値をより一層複雑に変化させることができ、認証情報に対する不正解析の防止に貢献することができる。また、中間部は、制御コマンド情報に基づいて特定した記憶順番と認証情報から抽出した認証用履歴データとから主制御部における３種類以上の個体識別値の記憶順番を確定するようにしたことから、中間部が３種類以上の個体識別値の並び順だけを記憶していれば、主制御部が変化させた記憶順番を検出して確定することができるため、３種類以上の個体識別値と認証情報に対する不正な解析を困難にすることができる。しかも、中間部は、３種類以上の期待値に対し、制御コマンド情報のコマンド値に対応した期待値のみを用いて認証情報から認証用履歴データを抽出し、該抽出した認証用履歴データと中間側履歴データが一致するか否かの判定結果に基づいて主制御部の認証を行うようにしたことから、相異なる複数種類のコマンド値によって主制御部の抽出対象のパターンを変化させる構成としても、主制御部はその変化を判定（認識）する必用はなく、中間部が主制御部の認証に係る処理を負担することができるため、複数種類のコマンド値に連携させて抽出対象のパターンを切り替えることができ、認証情報に対する不正解析をより一層困難にすることができる。さらに、中間部は、履歴データに基づいて制御コマンド情報の通信継続性を確認して認証するようにしたことから、不正な制御コマンド情報による不正な通信切り替えを検出することができるため、不正な通信切り替え防止に貢献することができる。しかも、中間部は、認証情報から１又は複数の期待値を用いて認証用履歴データを抽出することから、履歴データに正規の個体識別値が付加されていない場合、認証用履歴データと中間側履歴データは一致しないため、不正を確実に検出することができる。また、例えば主制御部と中間部との間に不正基板などが介入するような場合、該不正基板における解析負荷が増大するために処理能力を高くしなければならないため、コストや設計難易度を増大させて、不正基板の製作抑止に貢献することができる。さらに、中間部が主制御部に対する認証処理を行い、その中間認証結果を周辺部に送信するようにしたことから、周辺部は認証処理を行わずに中間認証結果を参照するだけで良いため、周辺部のＣＰＵの処理負荷を軽減することができる。また、中間部が主制御部からの制御コマンド情報の履歴を管理するようにしたことから、周辺部では制御コマンド情報の履歴管理が不要となるため、セキュリティの向上による周辺部の処理負担の増加を防止することができる。しかも、中間部は、主制御部からの制御コマンド情報を周辺部にそのまま送信することから、中間部が認証処理を行うと同時に、周辺部が所定の処理を行うことができるため、周辺部における所定の処理に遅れが生じることを防止できる。従って、既存の構成を利用し且つ主制御部の処理負担の増加を最小限にして、制御コマンド情報の通信継続性が確認できて、認証に用いる認証情報の解析を困難にすることができ且つ周辺部のＣＰＵの処理負荷を軽減することができる。
【図面の簡単な説明】
【００１８】
【図１】本発明のぱちんこ遊技機の遊技盤の一例を示す正面図である。
【図２】ぱちんこ遊技機の制御部の内部構成を示すブロック図である。
【図３】主制御基板および周辺基板の機能的構成を示すブロック図である。
【図４】主制御部による演出制御部の制御処理の一部を示すフローチャートである。
【図５】主制御部による演出制御部の制御処理の他の一部を示すフローチャートである。
【図６】大当たり関連コマンドの送信タイミングを示すタイミングチャートである。
【図７】演出制御部による図柄変動処理の手順を示すフローチャートである。
【図８】演出制御部による大当たり時処理の手順を示すフローチャートである。
【図９】ランプ制御部による図柄変動時のランプ制御処理の手順を示すフローチャートである。
【図１０】主制御部が出力する制御信号のデータフォーマットを模式的に示す説明図である。
【図１１】認証情報及び中間認証結果のデータフォーマットを示す説明図である。
【図１２】４つの個体識別値の一例を示す図である。
【図１３】相対アドレスと個体識別値との記憶順番を説明するための図である。
【図１４】コマンド値と乱数値との演算例を説明するための図である。
【図１５】コマンド値と乱数値との演算の他の例を説明するための図である。
【図１６】主制御部による被認証側処理の一例を示すフローチャートである。
【図１７】中間部による記憶順番確定処理の一例を示すフローチャートである。
【図１８】中間部による認証側処理の一例を示すフローチャートである。
【図１９】周辺部による制御信号及び中間認証結果信号の受信手順を示すフローチャートである。
【図２０】認証情報を用いた場合の認証処理手順例の一部を示すフローチャートである。
【図２１】図２０に示す認証処理手順例の続きを示すフローチャートである。
【発明を実施するための形態】
【００１９】
以下に添付図面を参照して、本発明にかかる電子機器を有する遊技機であるぱちんこ遊技機と、このぱちんこ遊技機に搭載されている複数の基板間（主制御基板および周辺基板）の制御信号に含まれる制御コマンド情報を認証する認証方法および認証プログラムに好適な実施の形態を詳細に説明する。
【００２０】
（ぱちんこ遊技機の基本構成）
本発明のぱちんこ遊技機１００は、図１に示す遊技盤１０１を備えている。遊技盤１０１の下部位置に配置された発射部２９２（図２参照）の駆動によって発射された遊技球は、レール１０２ａ，１０２ｂ間を上昇して遊技盤１０１の上部位置に達した後、遊技領域１０３内を落下する。図示を省略するが、遊技領域１０３には、遊技球を各種の方向に向けて落下させる複数の釘が設けられている。遊技領域１０３には、遊技球の落下途中の位置に、遊技球の落下方向を変化させる風車や入賞口が配設されている。
【００２１】
遊技盤１０１の遊技領域１０３の中央部分には、図柄表示部１０４が配置されている。図柄表示部１０４としては、例えば液晶表示器（ＬＣＤ）が用いられる。なお、図柄表示部１０４としては、ＬＣＤに限らず、ＣＲＴ、複数のドラム、などを用いることができる。図柄表示部１０４の下方には、始動入賞させるための始動入賞口１０５が配設されている。図柄表示部１０４の左右には、それぞれ入賞ゲート１０６が配設されている。
【００２２】
入賞ゲート１０６は、落下する遊技球の通過を検出し、始動入賞口１０５を一定時間だけ開放させる抽選を行うために設けられている。図柄表示部１０４の側部や下方などには普通入賞口１０７が配設されている。普通入賞口１０７に遊技球が入賞すると、ぱちんこ遊技機１００は普通入賞時の賞球数（例えば１０個）の払い出しを行う。遊技領域１０３の最下部には、どの入賞口にも入賞しなかった遊技球を回収する回収口１０８が設けられている。
【００２３】
上述した図柄表示部１０４は、特定の入賞口に遊技球が入賞したとき（始動入賞時）に、複数の図柄の表示の変動を開始し、所定時間後に図柄の表示の変動を停止する。この停止時に特定図柄（例えば「７７７」など）に揃ったときに、ぱちんこ遊技機１００は大当たり状態となる。そして、ぱちんこ遊技機１００は、大当たり状態のとき、遊技盤１０１の下方に位置する大入賞口１０９を一定の期間開放させ、この期間開放を所定ラウンド（例えば１５ラウンドなど）繰り返し、大入賞口１０９に入賞した遊技球に対応した賞球数を払い出す。
【００２４】
ぱちんこ遊技機１００は、図２に示す制御部２００を備えている。制御部２００は、主制御部２０１と、中間部２０２Ａと、演出制御部２０２Ｂと、賞球制御部２０３と、を有している。主制御部２０１は本発明の主制御基板に相当している。中間部２０２Ａと演出制御部２０２Ｂとは周辺基板に一体に設けられる。そして、主制御部２０１は、ぱちんこ遊技機１００の遊技にかかる基本動作を制御する。中間部２０２Ａは、主制御部２０１から演出制御部２０２Ｂへの通信中継部として、主制御部２０１と演出制御部２０２Ｂとの間に介在し、主制御部２０１から受信したデータを演出制御部２０２Ｂに送信する。中間部２０２Ａは、主制御部２０１の認証を行い、その認証結果を演出制御部２０２Ｂに送信する。そして、演出制御部２０２Ｂは、遊戯中の演出動作を制御する。賞球制御部２０３は、払い出す賞球数を制御する。
【００２５】
主制御部２０１は、ＣＰＵ２１１と、ＲＯＭ２１２と、ＲＡＭ２１３と、インタフェース（Ｉ／Ｆ）２１４と、を有している。ＣＰＵ２１１は、ＲＯＭ２１２に記憶されたプログラムデータに基づき、遊技内容の進行に伴う基本処理を実行する。ＲＯＭ２１２は、プログラムデータ等を記憶する記憶領域を有している。ＲＡＭ２１３は、ＣＰＵ２１１の演算処理時におけるデータのワークエリアとして機能する。Ｉ／Ｆ２１４は、各検出部２２１〜２２４から各種データを受信するとともに、演出制御部２０２Ｂ及び賞球制御部２０３への各種データの送信を行う。主制御部２０１は、例えばいわゆる主制御基板によってその機能を実現する。
【００２６】
この主制御部２０１の入力側には、始動入賞口１０５に入賞した入賞球を検出する始動入賞口検出部２２１と、入賞ゲート１０６を通過した遊技球を検出するゲート検出部２２２と、普通入賞口１０７に入賞した遊技球を検出する普通入賞口検出部２２３と、大入賞口１０９に入賞した入賞球を検出する大入賞口検出部２２４と、がＩ／Ｆ２１４を介して電気的に接続されている。これらの検出部としては、近接スイッチなどを用いて構成できる。
【００２７】
この主制御部２０１の出力側には、大入賞口開閉部２２５が電気的に接続されており、主制御部２０１はこの大入賞口開閉部２２５の開閉を制御する。大入賞口開閉部２２５は、大当たり時に大入賞口１０９を一定期間開放する機能であり、ソレノイドなどを用いて構成できる。この大当たりは、生成した乱数（大当たり判定用乱数）に基づいて、所定の確率（例えば３００分の１など）で発生するよう予めプログラムされている。
【００２８】
中間部２０２Ａは、ＣＰＵ２３１と、ＲＯＭ２３２と、ＲＡＭ２３３と、インタフェース（Ｉ／Ｆ）２３４と、を有している。ＣＰＵ２３１は、ＲＯＭ２３２に記憶されたプログラムデータに基づき、主制御部２０１の認証に伴う処理を行う。ＲＯＭ２３２は、前記プログラムデータ等を記憶する記憶領域を有している。ＲＡＭ２３３は、ＣＰＵ２１１の演算処理時におけるデータのワークエリアとして機能する。Ｉ／Ｆ２３４は、主制御部２０１から各種データを受信するとともに、演出制御部２０２Ｂへの各種データの送信を行う。
【００２９】
演出制御部２０２Ｂは、主制御部２０１から各種の制御コマンド情報を含む制御信号を受け取り、このコマンドに基づいて、ＲＯＭ２４２に記憶されたプログラムデータを実行して遊技中における演出制御を行う。この演出制御部２０２Ｂは、ＣＰＵ２４１と、ＲＯＭ２４２と、ＲＡＭ２４３と、ＶＲＡＭ２４４と、インタフェース（Ｉ／Ｆ）２４５と、を有している。ＣＰＵ２４１は、ぱちんこ遊技機１００に対応した演出処理を実行する。ＲＡＭ２４３は、ＣＰＵ２４１の演出処理時におけるデータのワークエリアとして機能する。ＶＲＡＭ２４４は、図柄表示部１０４に表示させる画像データ等を記憶する。Ｉ／Ｆ２４５は、中間部２０２Ａからの各種データの受信およびランプ制御部２５１や音声制御部２５２への各種データの送信を行う。そして、演出制御部２０２Ｂは、中間部２０２Ａとともに同一の周辺基板で実現している。また、演出制御部２０２Ｂの出力側には、上述した図柄表示部（ＬＣＤ）１０４、ランプ制御部２５１、音声制御部２５２がＩ／Ｆ２４５を介して電気的に接続されている。ランプ制御部２５１はランプ２６１の点灯を制御する。また、音声制御部２５２はスピーカ２６２の音声等の出力を制御する。
【００３０】
賞球制御部２０３は、主制御部２０１から各種の制御コマンド情報を含む制御信号を受け取り、このコマンドに基づいて、ＲＯＭ２８２に記憶されたプログラムデータを実行して賞球制御を行う。この賞球制御部２０３は、ＣＰＵ２８１と、ＲＯＭ２８２と、ＲＡＭ２８３と、インタフェース（Ｉ／Ｆ）２８４と、を有している。ＣＰＵ２８１は、賞球制御の処理を実行する。ＲＡＭ２８３は、ＣＰＵ２８１の演算処理時におけるデータのワークエリアとして機能する。Ｉ／Ｆ２８４は、主制御部２０１からの各種データの受信および発射部２９２との各種データの送受信を行う。賞球制御部２０３は、例えばいわゆる賞球基板によってその機能を実現する。
【００３１】
賞球制御部２０３は、Ｉ／Ｆ２８４を介して接続される払出部２９１に対して、入賞時の賞球数を払い出す制御を行う。また、賞球制御部２０３は、発射部２９２に対する遊技球の発射の操作を検出し、発射部２９２における遊技球の発射を制御する。払出部２９１は、遊技球の貯留部から所定数を払い出すためのモータなどからなる。賞球制御部２０３は、この払出部２９１に対して、各入賞口（始動入賞口１０５、普通入賞口１０７、大入賞口１０９）に入賞した遊技球に対応した賞球数を払い出す制御を行う。
【００３２】
発射部２９２は、遊技のための遊技球を発射するものであり、遊技者による遊技操作を検出するセンサと、遊技球を発射させるソレノイドなどを備える。賞球制御部２０３は、発射部２９２のセンサにより遊技操作を検出すると、検出された遊技操作に対応してソレノイドなどを駆動させて遊技球を間欠的に発射させ、遊技盤１０１の遊技領域１０３に遊技球を送り出す。
【００３３】
上記構成の主制御部２０１と中間部２０２Ａ及び演出制御部２０２Ｂと賞球制御部２０３は、それぞれ異なるプリント基板（主制御基板、演出基板、賞球基板）に設けられる。そして、演出基板と賞球基板が本発明の周辺基板に相当している。
【００３４】
なお、ぱちんこ遊技機１００の基板の構成は、これに限らず、例えば、賞球制御部２０３を、主制御部２０１又は中間部２０２Ａ及び演出制御部２０２Ｂと同一のプリント基板上に設けるなどの種々異なる構成とすることができる。また、中間部２０２Ａと演出制御部２０２Ｂとは、同一のプリント基板で実現する構成に代えて、一方のプリント基板を他方のプリント基板に実装する構成、別体のプリント基板をケーブル等で電気的に接続する構成、等のように種々異なる実施形態とすることができる。
【００３５】
（主制御基板および周辺基板の機能的構成）
まず、図３を参照して、主制御部２０１としての機能を有する主制御基板３１０の機能的構成について説明する。主制御基板３１０は、周辺基板３３０を動作させるための制御コマンド情報を送信する機能部であり、データ記憶部３１１、個体識別値生成部３１２、決定部３１３、履歴データ生成部３１４、演算部３１５、抽出部３１６、認証情報生成部３１７、主制御側送信部３１８、を有して構成している。そして、主制御基板３１０は、周辺基板３３０とは別の基板で形成されており、周辺基板３３０の中間部２０２Ａへの単方向の通信が可能なように電気的に接続されている。
【００３６】
データ記憶部３１１は、本発明の個体識別値記憶手段に相当し、中間部２０２Ａを介して周辺部２０２Ｂに送信した制御コマンド情報（制御コマンド）、認証情報、個体識別値、履歴生成方式データ（履歴生成方式）、付加方式データ、等の各種データを記憶している。データ記憶部３１１としては、例えば、主制御部２０１のＲＯＭ２１２、ＲＡＭ２１３（図２参照）の一部を用いることができる。
【００３７】
また、データ記憶部３１１は、中間部２０２Ａに送信した複数種類の制御コマンド情報と複数の認証情報を、ログデータとして時系列的に記憶する記憶領域を有している。そして、データ記憶部３１１に記憶する複数の制御コマンド情報及び認証情報の数は、任意に設定することができる。また、制御コマンド情報及び認証情報のデータ記憶部３１１に記憶するタイミングは、それが確定した時点、中間部２０２Ａに送信した後、等のタイミングを任意に定めることができる。そして、本実施例では、例えば、大当たりリーチコマンド、大当たり開始コマンド、大当たりコマンド、大当たり終了コマンド、等の複数種類の制御コマンド情報を履歴対象としてデータ記憶部３１１に記憶する場合について説明するが、これに代えて、予め定められた１種類の制御コマンド情報のみを記憶することもできる。
【００３８】
データ記憶部３１１は、後述する個体識別値生成部３１２が生成し且つ予め定められた順番で並んだ３種類以上の個体識別値を、決定部３１３が決定した先頭の個体識別値から記憶する。そして、３種類以上の個体識別値の各々は、主制御基板３１０（主制御部）の認証（個値識別）に周辺基板３３０が用いる値であり、後述する認証情報生成部３１７によって履歴データに付加されるデータとなっている。
【００３９】
履歴生成方式データは、履歴データ生成部３１４が用いる履歴生成方式を示しており、周辺基板３３０の中間部２０２Ａとの間で予め定められており、起動時等に初期値が設定されてデータ記憶部３１１に記憶される。
【００４０】
個体識別値生成部３１２は、本発明の個体識別値生成手段に相当し、主制御基板３１０を識別するための、予め定められた順番で並ぶ３種類以上の個体識別値を、主制御基板３１０の予め定められた記憶データに基づいて生成する。なお、予め定められた順番で並ぶ３種類以上の個体識別値は、ＲＯＭ２１２等に記憶され、その関係は環になっている。予め定められた順番は、３種類以上の個体識別値が並ぶ順番であり、例えば昇順、降順、不規則な順番、等が挙げられる。そして、個体識別値生成部３１２は、前記記憶データと予め定められた個体識別値生成方式で個体識別値を生成するため、該主制御基板３１０が生成すべき個体識別値と一致する期待値を周辺基板３３０に記憶しておけば、周辺基板３３０の中間部２０２Ａは個体識別値と期待値とが一致しているか否かに基づいて、主制御基板３１０の記憶データに不正が生じていることを判定でき、また、主制御基板３１０の個体識別を認証することができる。
【００４１】
なお、記憶データは、主制御部２０１のＲＯＭ２１２等に予め記憶している主制御部３１０の固有データとなっている。記憶データの一例としては、主制御部３１０のＣＰＵ２１１が実行するプログラムデータ、予め定められた認証専用の固定データ、等が挙げられ、その場合はぱちんこ遊技機１００の製造時等までにデータが確定することになる。そして、記憶データはデータ記憶部３１１、ＲＯＭ２１２、等に記憶されていることから、データ記憶部３１１、ＲＯＭ２１２、等は記憶データ記憶手段として記憶データを記憶している。また、主制御基板３１０がぱちんこ遊技機１００における大当たりを制御するための大当たり関連プログラムデータ（ＲＯＭ２１２に記憶しているプログラムデータの一部）は、不正に書き換えられる可能性があるため、該大当たり関連プログラムデータを有する記憶データとすることで、個体識別値生成部３１２が生成した個体識別値と中間部２０２Ａの期待値とがデータ改ざんの発生によって一致しなくなるため、主制御基板３１０における改ざんの発生を検出することができると共に、改ざん防止に貢献することができる。
【００４２】
個体識別値生成部３１２は、予め定められた生成タイミングに個体識別値の生成を行う。該生成タイミングの一例としては、ぱちんこ遊技機１００の起動時、予め定められた制御コマンド情報の発生時又は所定の発生回数の検出時、予め定められた時刻又はぱちんこ遊技機１００が起動してから所定時間が経過した時、主制御基板３１０を認証する毎、等が挙げられる。なお、主制御基板３１０を認証する毎とは、後述する認証情報を生成するタイミング又は周辺基板３３０に送信するタイミングを意味している。
【００４３】
個体識別値生成部３１２の個体識別値生成方式の一例としては、ＲＯＭ２１２における相異なる所定領域（範囲）の記憶データのチェックサム、その各々の所定領域の奇数番地又は偶数番地の合計値、ＲＯＭ２１２に対して予め定められた複数の相異なるアドレスから抽出した格納値、等が挙げられる。なお、個体識別値生成部３１２の生成タイミング及び個体識別値生成方式については、例えば、ぱちんこ遊技機１００の種類毎、スペック毎、等に異なる設定とすることができる。また、個体識別値生成部３１２の個体識別値生成方式は、個体識別値と履歴データとが一致しないように、後述する履歴データ生成部３１３の履歴生成方式とは異なる生成方式となっている。その他にも、例えば異なるビットアサイン、生成範囲、等を考慮して設計することができる。
【００４４】
さらに、本実施形態では、本発明の個体識別値生成手段と個体識別値記憶手段の各々を、個体識別値生成部３１２とデータ記憶部３１１とで別個に実現する場合について説明するが、これに代えて、個体識別値生成手段と個体識別値記憶手段を一体に実現することもできる。例えば、ＣＰＵ２１１を個体識別値生成手段として機能させ、そのＣＰＵ２１１のレジスタ等を個体識別値記憶手段として機能させることで、１つのハードウェアで２つの手段を実現することができる。また、個体識別値生成手段と個体識別値記憶手段を実現するための回路を有する専用のハードウェアとすることもできる。
【００４５】
決定部３１３は、本発明の決定手段に相当し、個体識別値生成部３１２が生成した、予め定められた順番で並ぶ３種類以上の個体識別値の中から、予め定められたタイミングに先頭の個体識別値を無作為に決定する。決定部３１３は、例えば乱数等を用いて、１つの先頭の個体識別値を３種類以上の中から無作為に決定する。
【００４６】
決定部３１３は、決定した先頭の個体識別値から、３種類以上の個体識別値に対して予め定められた順番の通りに３種類以上の個体識別値を、データ記憶部３１１に並べて記憶する。即ち、決定部３１３は、３種類以上の個体識別値をローテートしてデータ記憶部３１１に記憶する。詳細には、決定した先頭の個体識別値の前に順番が割り振られている個体識別値を最後尾にくっつけて、その関係が環になるようにしている。このように本発明の記憶順番とは、３種類以上の個体識別値をローテートしてデータ記憶部３１１に記憶している順番を意味している。
【００４７】
なお、個体識別値生成部３１２が生成する生成タイミングと決定部３１３が決定する決定タイミングは、同一のタイミングとしても良いし、異なるタイミングとしても良い。同一のタイミングとしては、例えば、生成タイミングと決定タイミングの双方を、ぱちんこ遊技機１００の起動時、リセット時等とする。また、異なるタイミングとしては、例えば、生成タイミングをぱちんこ遊技機１００の起動時、決定タイミングをその後の任意のタイミングとする。
【００４８】
履歴データ生成部３１４は、本発明の履歴データ生成手段に相当し、主制御基板３１０から周辺基板３３０の中間部２０２Ａに送信した制御コマンド情報の履歴を示す履歴データを、予め定められた履歴生成方式で生成する。履歴データ生成部３１４は、例えば、ぱちんこ遊技機１００における制御コマンド情報の発生（確定）から当該制御コマンド情報の中間部２０２Ａへの送信までの任意のタイミング、等の予め定められた生成タイミングに、履歴生成方式とデータ記憶部３１１に記憶している制御コマンド情報とに基づいて履歴データを生成して記憶する。そして、履歴データ生成部３１４は、所定の送信回数分の制御コマンド情報を、例えば、誤り検出方式、所定の暗号化方式、排他的論理和、等の履歴生成方式に基づいて算出して履歴データを生成する。即ち、履歴生成方式は、制御コマンド情報に対する履歴データを生成するに当たり、例えば、送信した単独の制御コマンド情報の遡及数、複数種類の制御コマンド情報の遡及範囲、等の履歴データの生成対象とする制御コマンド情報を規定する。そして、履歴データ生成部３１４が履歴データをチェックサムとして生成する場合、単独種類の制御コマンド情報の複数回分の合計値や履歴データは複数の制御コマンド情報の合計をとった合計値となる。なお、履歴データは、例えば前回や所定回数前等の１回分の制御コマンド情報をそのまま用いることで、後述する認証情報の生成時の処理を簡単化することができる。
【００４９】
なお、本実施例の履歴データ生成部３１４は、データ記憶部３１１が記憶している履歴データを、前記生成した履歴データに更新して記憶する場合について説明する。この場合、データ記憶部３１１は履歴データ記憶手段として機能することになる。これに代えて、例えばＣＰＵ２１１のレジスタ、ＲＡＭ２１３の所定記憶領域、等に履歴データを記憶する実施形態とすることもできる。また、履歴データ生成手段とその記憶手段を専用のハードウェアで実現することもできる。そして、履歴データ生成部３１４が、万一、個体識別値と同一の履歴データを生成した場合、例えば、認証情報生成部３１７がその履歴データを有する認証情報を生成しない、または、主制御側送信部３１８がその履歴データを有する認証情報を送信せずに破棄する、等の構成とする。または、履歴データ生成部３１４が、個体識別値とは異なる値の履歴データを生成するように設計する、履歴データのビット調整で対応するなどの種々異なる実施形態とすることができる。
【００５０】
演算部３１５は、本発明の演算手段に相当し、複数種類の制御コマンド情報の各々が有する相異なるコマンド値と乱数値とを予め定められた演算方式で演算し、該演算結果をＲＡＭ２１３等に記憶する。そして、演算方式としては、例えば論理演算、四則演算、所定の関数を用いた演算、等が挙げられる。
【００５１】
ここで、複数種類の制御コマンド情報のコマンド値の各々は、相異なるデータとなっている。そして、コマンド値は、主制御基板３１０の３種類以上の個体識別値の中で選択が可能な個体識別値を規定するデータとなっている。即ち、コマンド値の種類によって抽出が可能な個体識別値の抽出範囲（抽出パターン）を変更することが可能な構成となっている。そして、本実施例の複数種類のコマンド値の各々は、乱数値の所望のビット以外をマスクするマスクデータとすることで、演算部３１５はコマンド値と乱数値との演算を行うだけで、乱数値の有効なビットを変更し、その範囲内で１つの演算値を特定する。そして、演算部３１５が演算した演算結果である複数種類の演算値の各々には、３種類以上の個体識別値の何れか１つを一対一に対応付けている。
【００５２】
例えば、演算方式が論理積（ＡＮＤ）演算である場合、演算部３１５は、固定値である制御コマンド情報のコマンド値と、無作為に変化する乱数値と、のＡＮＤ演算を行って演算値を求める。この演算値は、３種類以上の個体識別値に対して予め定められた抽出可能な個体識別値の中で、１つの個体識別値を無作為に特定するための値となっている。なお、本実施例の演算部３１５は、ソフトウェアによって実現する場合について説明するが、これに代えて、同様の処理を論理回等のハードウェアで実現してもよい。
【００５３】
抽出部３１６は、本発明の抽出手段に相当し、データ記憶部（個体識別値記憶手段）３１１が記憶している３種類以上の個体識別値の記憶順番の中から、演算部３１５の演算結果に対応する１つの記憶順番を抽出してＲＡＭ２１３等に記憶する。即ち、演算部３１５の演算結果と記憶順番は一対一に対応付けられている。このような構成により、抽出部３１６が１つの記憶順番を抽出することで、該記憶順番に対応した個体識別値をデータ記憶部３１１で特定できるようになっている。
【００５４】
なお、本実施例では、演算部３１５と抽出部３１６とを別体とする構成について説明するが、これに代えて、演算部３１５と抽出部３１６とを一体に構成する実施形態とすることもできる。
【００５５】
認証情報生成部３１７は、本発明の認証情報生成手段に相当し、中間部２０２Ａが主制御部２０１の認証に用いる認証情報を生成する。認証情報生成部３１７は、抽出部３１６が抽出した記憶順番の個体識別値を、予め定められた付加方式でデータ記憶部３１１に記憶している最新の履歴データに付加して認証情報を生成する。即ち、認証情報生成部３１７は、前記抽出した記憶順番に対応した個体識別値をデータ記憶部３１１から抽出し、該個体識別値を履歴データに前記付加方式で付加した合成値である認証データを有する認証情報を生成する。また、付加方式は、主制御基板３１０が履歴データに個体識別値を付加するための方式であり、周辺基板３３０の中間部２０２Ａとの間で予め定められている。そして、付加方式は、例えば、四則演算、ＸＯＲ、ＸＮＯＲ、等の複数種類の演算方式の中で予め定められた１つの演算方式であり、主制御基板３１０及び周辺基板３３０の中間部２０２Ａは、その演算方式を示す付加方式データをデータ記憶部３１１等に記憶している。また、本実施形態では、最新の履歴データに個体識別値を付加する場合について説明するが、これに代えて、例えば複数の履歴データを時系列的に記憶している場合は所定回数前の履歴データに付加するなど種々異なる実施形態とすることができる。
【００５６】
主制御側送信部３１８は、本発明の主制御側送信手段に相当し、認証情報生成部３１７が生成した認証情報と制御コマンド情報との各々を周辺基板３３０の中間部２０２Ａに送信する。そして、本実施形態の主制御側送信部３１８は、制御コマンド情報を主制御基板３１０から周辺基板３３０の中間部２０２Ａに制御信号として送信する。主制御側送信部３１８は、例えば、主制御基板３１０から中間部２０２Ａに送信される制御信号とは別の信号である認証情報信号として認証情報を中間部２０２Ａに送信する。これにより、ぱちんこ遊技機１００において、制御信号と認証情報信号とを区別化している。
【００５７】
続いて、上述した演出制御部２０２Ｂなどの周辺部としての機能を有する周辺基板３３０の機能的構成について説明する。図３に示すように、周辺基板３３０は、中間部２０２Ａと、周辺部（演出制御部）２０２Ｂと、を有して構成している。そして、周辺基板３３０は、中間部２０２Ａと周辺部２０２Ｂとが通信可能に構成されている。なお、本実施例では、中間部２０２Ａと演出制御部２０２Ｂを有する周辺基板３３０とした場合について説明するが、これに代えて、中間部２０２Ａと賞球制御部２０３を有する周辺基板とすることもできる。
【００５８】
次に、中間部２０２Ａは、中間側受信部３３１、中間側記憶部３３２、中間側履歴データ生成部３３３、特定部３３４、第１抽出部３３５、記憶順番確定部３３６、第２抽出部３３７、中間認証結果データ生成部３３８、中間側送信部３３９を有して構成している。
【００５９】
中間側受信部３３１は、本発明の中間側受信手段に相当し、主制御基板３１０によって送信された認証情報と制御コマンド情報（制御コマンド）等を受信する。本実施形態の中間側受信部３３１は、例えば、認証情報に対応した認証情報信号を受信することによって、認証情報を主制御基板３１０から受信する。また、中間側受信部３３１は、認証情報信号とは別に制御信号を主制御部２０１から受信すると、該受信した制御信号が示す制御コマンド情報を中間側記憶部３３２に時系列的に記憶すると共に、後述する中間側送信部３３９からそのまま周辺部２０２Ｂにその制御信号を送信する。即ち、中間側受信部３３１は、主制御基板３１０からの制御信号（制御コマンド情報）を周辺部２０２Ｂに転送する機能を有している。
【００６０】
中間側記憶部３３２は、本発明の期待値記憶手段に相当している。中間側記憶部３３２としては、例えば、演出制御部２０２のＲＯＭ２３２、ＲＡＭ２３３（図２参照）の一部を用いることができる。また、中間側記憶部３３２は、主制御基板３１０から受信した複数の制御コマンド情報と複数の認証情報を、主制御基板３１０と同様に、ログデータとして時系列的に記憶する記憶領域を有している。
【００６１】
中間側記憶部３３２は、上述した主制御基板３１０から受信すべき３種類以上の個体識別値、即ち、主制御基板３１０の個体識別値生成部３１２が生成すべき３種類以上の個体識別値の各々と一致する、３種類以上の期待値を記憶している。これにより、周辺基板３３０の中間部２０２Ａは、認証情報の履歴データに付加された個体識別値が、正規の個体識別値であれば、３種類以上の期待値の何れか１つと一致するため、認証情報から履歴データを中間部２０２Ａは抽出することができる。また、認証情報の個体識別値が不正なものであれば、３種類以上の期待値の何れとも一致しないため、認証情報から正規の履歴データを中間部２０２Ａは抽出できない。
【００６２】
期待値は、主制御基板３１０の個体識別値生成部３１２が生成すべき３種類以上の個体識別値を、主制御基板３１０の記憶データと前記履歴生成方式による計算等によって予め求められ、ぱちんこ遊技機１００の製造時等に中間側記憶部３３２に予め記憶される（書き込まれる）。なお、中間側記憶部３３２がＲＡＭ２４３の場合は、３種類以上の期待値をＲＯＭ２３２に記憶しておき、ぱちんこ遊技機１００の起動時にＲＯＭ２３２から中間側記憶部３３２に記憶する。
【００６３】
中間側記憶部３３２は、主制御部２０１と同一の履歴生成方式データ及び付加方式データを記憶している。そして、履歴生成方式データは、中間側履歴データ生成部３３３が用いる履歴生成方式を示しており、起動時等に初期値が設定されて中間側記憶部３３２に記憶される。付加方式データは、第２抽出部３３７が用いる主制御基板３１０と同一の付加方式を示している。
【００６４】
中間側記憶部３３２は、主制御基板３１０における３種類以上の個体識別値の記憶順番を示す記憶順番情報を記憶する記憶エリアを有している。該記憶順番情報は、記憶順番確定部３３６によって確定された記憶順番を示すデータを有する情報として生成されて中間側記憶部３３２に記憶される。
【００６５】
中間側履歴データ生成部３３３は、本発明の中間側履歴データ生成手段に相当し、主制御基板３１０から受信した制御コマンド情報の履歴を示す中間側履歴データを、主制御基板３１０と同一の前記履歴生成方式で生成する。中間側履歴データ生成部３３３は、主制御基板３１０からの制御コマンド情報の受信時、受信後、等の予め定められた中間側生成タイミングに、主制御基板３１０と同一の履歴生成方式と中間側記憶部３３２に記憶している制御コマンド情報とに基づいて中間側履歴データを生成して記憶する。即ち、中間側履歴データ生成部３３３は、所定の受信回数分の制御コマンド情報を、例えば誤り検出方式、所定の暗号化方式、排他的論理和、等の履歴生成方式に基づいて算出して履歴データを生成する。よって、中間側履歴データは、主制御基板３１０が送信した制御コマンド情報のみを受信していれば、主制御基板３１０の履歴データと一致することになり、一致していなければ、不正な制御コマンド情報を受信していると判断することができる。
【００６６】
なお、本実施例の中間側履歴データ生成部３３３は、中間側記憶部３３２が記憶している中間側履歴データを、前記生成した中間側履歴データに更新して記憶する場合について説明する。この場合、中間側記憶部３３２は中間側履歴データ記憶手段として機能することになる。これに代えて、例えばＣＰＵ２３１のレジスタ、ＲＡＭ２３３の所定記憶領域、等に中間側履歴データを記憶する実施形態とすることもできる。また、中間側履歴データ生成手段とその記憶手段を専用のハードウェアで実現することもできる。
【００６７】
特定部３３４は、本発明の特定手段に相当し、中間側受信部３３１が主制御基板３１０から受信した制御コマンド情報のコマンド値に基づいて、主制御基板３１０が３種類以上の個体識別値の記憶順番の中から抽出対象とする記憶順番を特定する。例えば、主制御基板３１０が０ｘ００〜０ｘ０３の４つの記憶順番を有している場合、コマンド値が１、３番目を示していると、０ｘ００と０ｘ０２の２つの記憶順番を抽出対象として特定する。同様に、特定部３３４は、コマンド値が１番目のみを示していると、０ｘ００の１つの記憶順番を抽出対象として特定する。このように特定部３３４は、０ｘ００〜０ｘ０３の何れか１つを抽出対象の記憶順番として特定することになる。
【００６８】
第１抽出部３３５は、本発明の第１抽出手段に相当し、３種類以上の期待値の各々を、主制御基板３１０と同一の前記付加方式で、中間側受信部３３１が受信した認証情報から取り除いて３種類以上の認証用履歴データを抽出し、中間側記憶部３３２に記憶する。即ち、４つの期待値を有している場合、第１抽出部３３５は４つの認証用履歴データを抽出することになる。従って、第１抽出部３３５が抽出した３種類以上の認証用履歴データは、認証情報（認証データ）から３種類以上の期待値の各々を取り除いた値であることから、正規の認証情報を受信していれば、そこから抽出した３種類以上の認証用履歴データのうちの１つは主制御基板３１０の履歴データと一致する。そのため、該一致した認証用履歴データを取り除いた時の期待値が、主制御基板３１０で抽出された個体識別値と一致する値となる。
【００６９】
記憶順番確定部３３６は、本発明の記憶順番確定手段に相当し、第１抽出部３３５が抽出した３種類以上の認証用履歴データのうちの中間側履歴データと一致した認証用履歴データに対応する個体識別値と、前記特定部３３４が特定した記憶順番とに基づいて、主制御基板３１０における個体識別値の記憶順番を確定する。即ち、記憶順番確定部３３６が主制御基板３１０の記憶順番を確定する前は、主制御基板３１０の記憶順番は不明であり、記憶順番が確定した後、中間認証結果データ生成部３３８による主制御基板３１０の認証が可能となる。これにより、主制御基板３１０の決定部３１３は３種類以上の個体識別値の並び順を守ってローテートすることができる。
【００７０】
第２抽出部３３７は、本発明の第２抽出手段に相当し、記憶順番確定部３３６が確定した記憶順番の中で、前記特定部３３４が特定した１又は複数の記憶順番の各々に対応する個体識別値に一致する期待値を、主制御基板３１０と同一の前記付加方式で中間側受信部３３１が受信した認証情報から取り除いて、１又は複数の認証用履歴データを抽出する。第２抽出部３３７は、認証情報から取り除いた１又は複数の認証用履歴データを抽出して中間側記憶部３３２に記憶する。即ち、第２抽出部３３７は、２個の期待値が特定されている場合は２個の認証用履歴データを抽出し、また、３個の期待値が特定されている場合は３個の認証用履歴データを抽出する。従って、１又は複数の認証用履歴データは、認証情報（認証データ）から１又は複数の期待値の各々を取り除いた値であることから、正規の認証情報を受信していれば、そこから抽出した１又は複数の認証用履歴データのうちの１つは主制御基板３１０の履歴データとなっている。また、認証情報から認証用履歴データを抽出するのに、コマンド値に対応した期待値を特定して用いることで、全ての期待値を用いて認証用履歴データを抽出するよりも、認証精度を向上できる。
【００７１】
中間認証結果データ生成部３３８は、本発明の中間認証結果データ生成手段に相当し、第２抽出部３３７が抽出した１又は複数の認証用履歴データの中に、中間側記憶部３３２に記憶している最新の中間側履歴データと一致するものが存在するか否かの判定結果に基づいて、主制御基板（主制御部）３１０の認証を行い、該認証結果を示す中間認証結果データを生成して周辺部２０２Ｂに送信する。そして、中間認証結果データ生成部３３８は、中間側履歴データと一致するものが存在した場合、受信した認証情報の履歴データは正当であると判断できるため、認証を成立させる。また、中間認証結果データ生成部３３８は、中間側履歴データと一致するものが存在しない場合、例えば、不正によって履歴データと中間側履歴データとが相違している、不正な認証情報が用いられた、等が考えられることから、受信した認証情報の履歴データ又は個体識別値は不正なものであると判断できるため、認証を不成立とする。即ち、中間認証結果データは、中間部２０２Ａが主制御基板３１０（主制御部２０１）を、通信の継続性（履歴データ）に基づいて認証したか否かの認証結果を示している。
【００７２】
なお、本実施例では、第２抽出部３３７が複数の認証用履歴データを抽出した後に、中間認証結果データ生成部３３８が複数の認証用履歴データの各々と中間側履歴データとを比較する場合について説明するが、これに代えて、例えば、第２抽出部３３７が１つの認証用履歴データを抽出する毎に、中間認証結果データ生成部３３８が中間側履歴データと比較する構成とすることもできる。
【００７３】
中間側送信部３３９は、本発明の中間側送信手段に相当し、中間認証結果データ生成部３３８が生成した中間認証結果データを周辺部２０２Ｂに送信する。そして、中間側送信部３３９は、中間認証結果データ生成部３３８が生成した中間認証結果データを中間認証結果信号として周辺部２０２Ｂに送信する。また、中間側送信部３３９は、主制御基板３１０から受信した制御信号を周辺部２０２Ｂにそのまま送信する。即ち、主制御部２０１は、制御信号（制御コマンド情報）を中間部２０２Ａに送信することで、周辺部２０２Ｂに中間部２０２Ａを介して送信したことになる。
【００７４】
次に、周辺部２０２Ｂは、周辺側受信部３５１と、処理部３５２と、を有して構成している。
【００７５】
周辺側受信部３５１は、本発明の周辺側受信手段に相当し、周辺基板３３０の中間部２０２Ａによって送信された制御コマンド情報、中間認証結果データ等を受信する。本実施形態の周辺側受信部３５１は、例えば、中間認証結果データが付加された中間認証結果信号を受信することによって、中間認証結果データを中間部２０２Ａから受信する。そして、周辺側受信部３５１は、制御信号を中間部２０２Ａから受信することによって、制御コマンド情報を主制御基板３１０から受信する。
【００７６】
処理部３５２は、本発明の処理手段に相当し、中間部２０２Ａから受信した中間認証結果データに応じて、主制御基板３１０から受信した制御コマンド情報に対応したぱちんこ遊技機１００における所定の処理を行う。処理部３５２は、前記中間認証結果データが認証成立を示している場合、中間部２０２Ａから受信した制御信号が示す制御コマンド情報に対応した前記所定の処理を行い、また、認証不成立を示している場合は報知を行う。なお、前記所定の処理は、ぱちんこ遊技機１００における主制御部２０１からの制御コマンド情報に対応した処理であり、例えば、はずれ処理、大当たりリーチ処理、大当たり開始処理、大当たりラウンド処理、大当たり終了処理、等の処理が挙げられる。
【００７７】
なお、本実施形態では、中間部２０２Ａと周辺部２０２Ｂとの間で通信されるデータを暗号化せずに送信する構成で説明するが、上述した主制御基板３１０と中間部２０２Ａで説明したように、中間部２０２Ａと周辺部２０２Ｂとの間でもデータを暗号化して送信する構成とすることもできる。
【００７８】
また、本実施形態では、主制御基板３１０のＣＰＵ２１１が第１コンピュータ、周辺基板３３０の中間部２０２ＡのＣＰＵ２３１が第２コンピュータ、周辺基板３３０の演出制御部２０２ＢのＣＰＵ２４１が第３コンピュータとして機能させる場合について説明する。そして、主制御基板３１０のＲＯＭ２１２は、前記第１コンピュータを請求項中の個体識別値生成手段、決定手段、履歴データ生成手段、演算手段、抽出手段、認証情報生成手段、主制御側送信手段、等の各種手段として機能させるための主制御側認証プログラムを記憶している。また、周辺基板３３０の中間部２０２ＡのＲＯＭ２３２は、前記第２コンピュータを請求項中の中間側受信手段、中間側履歴データ生成手段、特定手段、第１抽出手段、記憶順番確定手段、第２抽出手段、中間認証結果データ生成手段、中間側送信手段、等の各種手段として機能させるための中間側認証プログラムを記憶している。また、周辺基板３３０の周辺部２０２ＢのＲＯＭ２４２は、前記第３コンピュータを請求項中の周辺側受信手段、処理手段、等の各種手段として機能させるための周辺側認証プログラムを記憶している。即ち、主制御側認証プログラムと中間側認証プログラムと周辺側認証プログラムによって本発明の認証プログラムを構成している。
【００７９】
（ぱちんこ遊技機の基本動作）
上記構成によるぱちんこ遊技機１００の基本動作の一例を説明する。主制御部２０１は、各入賞口に対する遊技球の入賞状況を制御コマンド情報として賞球制御部２０３に出力する。賞球制御部２０３は、主制御部２０１から出力された制御コマンド情報に応じて、入賞状況に対応した賞球数の払い出しを行う。
【００８０】
また、主制御部２０１は、始動入賞口１０５に遊技球が入賞するごとに、対応する制御コマンド情報を演出制御部２０２Ｂに出力し、演出制御部２０２Ｂは、図柄表示部１０４の図柄を変動表示させ、停止させることを繰り返す。そして、主制御部２０１は、大当たりの発生が決定しているときには、対応する制御コマンド情報を演出制御部２０２Ｂに出力し、演出制御部２０２Ｂは、所定の図柄で揃えて変動表示を停止させるとともに、大入賞口１０９を開放する制御を行う。演出制御部２０２Ｂは、大当たり発生期間中、および大当たり発生までの間のリーチ時や、リーチ予告時などには、図柄表示部１０４に対して、図柄の変動表示に加えて各種の演出表示を行う。このほか、各種役物に対して特定の駆動を行う、ランプ２６１の表示状態を補正するなどの演出を行う。
【００８１】
そして、主制御部２０１は、大当たり発生期間中に、大入賞口１０９を複数回開放させる。１回の開放が１ラウンドとして、例えば１５回のラウンドが繰り返し実行される。１ラウンドの期間は、遊技球が大入賞口１０９に例えば１０個入賞するまでの期間、あるいは所定期間（例えば３０秒）とされている。この際、賞球制御部２０３は、大入賞口１０９に対する遊技球１個の入賞当たり、例えば１５個の賞球数で払い出しを行う。ぱちんこ遊技機１００は、大当たり終了後、この大当たり状態を解除し、通常の遊技状態に復帰する。
【００８２】
（各制御部による処理の詳細）
次に、各制御部が行う各種処理の詳細について説明する。まず、主制御部２０１による演出制御部２０２Ｂの制御処理について説明する。なお、図４〜図９においては、演出制御部２０２Ｂの制御処理の手順を明確にするため、認証データおよび付随データについては考慮しないものとする。即ち、図４〜図９の説明において、「コマンドを送信する」とは、「当該コマンドを示すデータ（制御コマンド情報）を含む制御信号を送信する」との意味であり、例えば認証データや付随データの有無は考慮しないものとする。
【００８３】
主制御部２０１は、図４に示すステップＳ４０１において、ぱちんこ遊技機１００の電源がオンされたか否かを判定する。主制御部２０１は、電源がオンされていないと判定した場合（Ｓ４０１：Ｎｏ）、この判定処理を繰り返すことで、ぱちんこ遊技機１００の電源がオンされるまで待機する。一方、主制御部２０１は、電源がオンされたと判定した場合（Ｓ４０１：Ｙｅｓ）、ステップＳ４０２の処理に移行する。
【００８４】
主制御部２０１は、ステップＳ４０２において、演出制御部２０２Ｂや賞球制御部２０３などの各周辺部に対して電源オンコマンドを送信し、ステップＳ４０３の処理に移行する。この処理によって電源オンコマンドが送信されると、演出制御部２０２Ｂは、ランプ制御部２５１や音声制御部２５２、図柄表示部１０４のそれぞれに対して電源オン時の演出用の制御コマンド情報（具体的には、ランプの点灯や音声の出力、デモストレーション（デモ）画面の表示などを指示する制御コマンド情報）を送信する。
【００８５】
主制御部２０１は、ステップＳ４０３において、ＲＯＭ２１２またはＲＡＭ２１３に記憶している未抽選入賞回数データを参照して、未抽選入賞回数が０回か否かを判別する。未抽選入賞回数とは、始動入賞口１０５に検出された入賞球の数（入賞回数）から、入賞球に対応する抽選が行われた回数（既抽選回数）を減じた数である。そして、主制御部２０１は、未抽選入賞回数が０回ではないと判定した場合（Ｓ４０３：Ｎｏ）、ステップＳ４１０の処理に移行する。一方、主制御部２０１は、未抽選入賞回数が０回であると判定した場合（Ｓ４０３：Ｙｅｓ）、ステップＳ４０４において、デモが開始されてから経過した時間を計測し、ステップＳ４０５の処理に移行する。
【００８６】
主制御部２０１は、デモが開始されてから所定時間が経過したか否かを判定する。主制御部２０１は、デモが開始されてから所定時間が経過していないと判定した場合（Ｓ４０５：Ｎｏ）、ステップＳ４０７の処理に移行する。一方、主制御部２０１は、デモが開始されてから所定時間が経過したと判定した場合（Ｓ４０５：Ｙｅｓ）、ステップＳ４０６において、演出制御部２０２Ｂに客待ちデモコマンドを送信し、ステップＳ４０７の処理に移行する。
【００８７】
主制御部２０１は、ステップＳ４０７において、始動入賞口検出部２２１によって入賞球が検出されたか否かを判定する。主制御部２０１は、入賞球が検出されていないと判定した場合（Ｓ４０７：Ｎｏ）、ステップＳ４０４の処理に戻り、一連の処理を繰り返す。一方、主制御部２０１は、入賞球が検出されたと判定した場合（Ｓ４０７：Ｙｅｓ）、ステップＳ４０８において、デモが開始されてから計測していた時間をクリアし、ステップＳ４０９において、未抽選入賞回数に１を加算し、ステップＳ４１０の処理に移行する。そして、主制御部２０１は、ステップＳ４１０において、大当たり判定用乱数を取得し、ステップＳ４１１において、未抽選入賞回数から１を減算し、図５に示すステップＳ４１２の処理に移行する。
【００８８】
主制御部２０１は、ステップＳ４１２において、大当たり判定用乱数が大当たり乱数であるか否かを判定する。主制御部２０１は、大当たり乱数であると判定した場合（Ｓ４１２：Ｙｅｓ）、ステップＳ４１３において、演出制御部２０２Ｂに大当たりリーチコマンド（図柄変動コマンド）を送信する。そして、主制御部２０１は、ステップＳ４１４において、図柄変動時間が経過したか否かを判定する。主制御部２０１は、図柄変動時間が経過していないと判定した場合（Ｓ４１４：Ｎｏ）、この判定処理を繰り返すことで、図柄変動時間が経過するのを待つ。一方、主制御部２０１は、図柄変動時間が経過したと判定した場合（Ｓ４１４：Ｙｅｓ）、ステップＳ４１５において、演出制御部２０２Ｂに図柄停止コマンドを送信し、ステップＳ４１６の処理に移行する。
【００８９】
主制御部２０１は、ステップＳ４１６において、演出制御部２０２Ｂに大当たり開始コマンドを送信し、続けて、ステップＳ４１７において、大当たり中の各ラウンドに対応するコマンド（大当たりコマンド）を演出制御部２０２Ｂに順次送信する。そして、主制御部２０１は、全てのラウンドの大当たりコマンドの送信が終了すると、ステップＳ４１８において、大当たり終了コマンドを演出制御部２０２Ｂに送信し、ステップＳ４２２の処理に移行する。
【００９０】
また、主制御部２０１は、ステップＳ４１２において、大当たり乱数ではないと判定した場合（Ｓ４１２：Ｎｏ）、ステップＳ４１９において、はずれリーチコマンド（図柄変動コマンド）を演出制御部２０２Ｂに送信し、ステップＳ４２０の処理に移行する。そして、主制御部２０１は、ステップＳ４２０において、図柄変動時間が経過したか否かを判定する。主制御部２０１は、図柄変動時間が経過していないと判定した場合（Ｓ４２０：Ｎｏ）、この判定処理を繰り返すことで、図柄変動時間の経過を待つ。一方、主制御部２０１は、図柄変動時間が経過したと判定した場合（Ｓ４２０：Ｙｅｓ）、ステップＳ４２１において、図柄停止コマンドを演出制御部２０２Ｂに送信し、ステップＳ４２２の処理に移行する。
【００９１】
主制御部２０１は、ステップＳ４２２において、ぱちんこ遊技機１００の電源がオフされたか否かを判定する。主制御部２０１は、電源がオフされていないと判定した場合（Ｓ４２２：Ｎｏ）、図４に示すステップＳ４０３の処理に戻り、一連の処理を繰り返す。一方、主制御部２０１は、電源がオフされたと判定した場合（Ｓ４２２：Ｙｅｓ）、ステップＳ４２３において、終了処理コマンドを演出制御部２０２Ｂに送信し、本フローチャートによる処理を終了する。
【００９２】
上述した図４及び図５中の各種コマンドが、本発明の制御コマンド情報に相当し、主制御基板３１０は各種制御コマンド情報を送信する毎に、その制御コマンド情報をデータ記憶部３１１に履歴として記憶している。この制御コマンド情報の記憶に応じて、主制御基板３１０は、データ記憶部３１１の履歴データを更新する。なお、履歴データの更新については、複数種類の認証情報の生成時に更新するようにすれば、主制御基板３１０の処理負担を軽減することができる。また、周辺基板３３０の中間部２０２Ａは、各種制御コマンド情報を受信する毎に、その制御コマンド情報を中間側記憶部３３２に履歴として記憶しており、中間側記憶部３３２の中間側履歴データを更新する。
【００９３】
次に、ぱちんこ遊技機１００における大当たり関連コマンド（大当たりリーチコマンド、大当たり開始コマンド、大当たりコマンド、大当たり終了コマンド）の主制御部２０１から演出制御部２０２Ｂに対する送信タイミングの一例を、図６の図面を参照して説明する。
【００９４】
大当たりリーチコマンドは、実際に大当たりが発生するよりも頻繁に、且つランダムに送信される。また、大当たり開始コマンドは、実際に大当たりが発生した場合に、大当たり状態に移行する際に１度だけ送信される。また、大当たりコマンドは、大当たり状態に移行した後、ラウンド毎に継続的に送信される。また、大当たり終了コマンドは、大当たり状態の全てのラウンドが終了し、通常の状態に移行する際に１度だけ送信される。
【００９５】
以下では、図柄変動時（大当たりリーチコマンド（図５のステップＳ４１３を参照）または、はずれリーチコマンド（図５のステップＳ４１９を参照）を受信した場合）及び、大当たり時の処理を説明する。
【００９６】
まず、演出制御部（周辺部）２０２Ｂによる図柄変動処理について、図７に示すフローチャートを参照して説明する。演出制御部２０２Ｂは、図７に示すステップＳ７０１において、主制御部２０１から図柄変動コマンドを受信したか否かを判定する。演出制御部２０２Ｂは、図柄変動コマンドを受信していないと判定した場合（Ｓ７０１：Ｎｏ）、この判定処理を繰り返すことで、図柄変動コマンドの受信を待つ。一方、演出制御部２０２Ｂは、図柄変動コマンドを受信したと判定した場合（Ｓ７０１：Ｙｅｓ）、ステップＳ７０２において、変動演出選択用乱数を取得し、ステップＳ７０３において、取得した乱数に基づいて変動演出の種類を選択し、ステップＳ７０４の処理に移行する。そして、演出制御部２０２Ｂは、ステップＳ７０４において、ランプ制御部２５１や音声制御部２５２に対して変動演出別の演出開始コマンドを送信し、ステップＳ７０５の処理に移行する。
【００９７】
演出制御部２０２Ｂは、ステップＳ７０５において、演出時間が経過したか否かを判定する。演出制御部２０２Ｂは、演出時間が経過したと判定した場合（Ｓ７０５：Ｙｅｓ）、ステップＳ７０７の処理に移行する。一方、演出制御部２０２Ｂは、演出時間が経過していないと判定した場合（Ｓ７０５：Ｎｏ）、ステップＳ７０６において、主制御部２０１から図柄停止コマンドを受信したか否かを判定する。そして、演出制御部２０２Ｂは、図柄停止コマンドを受信していないと判定した場合（Ｓ７０６：Ｎｏ）、ステップＳ７０５の処理に戻り、一連の処理を繰り返す。一方、演出制御部２０２Ｂは、図柄停止コマンドを受信したと判定した場合（Ｓ７０６：Ｙｅｓ）、ステップＳ７０７において、ランプ制御部２５１や音声制御部２５２に対して演出停止コマンドを送信し、本フローチャートによる処理を終了する。
【００９８】
続いて、演出制御部２０２Ｂによる大当たり時処理について、図８に示すフローチャートを参照して説明する。演出制御部２０２Ｂは、図８に示すステップＳ８０１において、主制御部２０１から大当たり開始コマンド（図５のステップＳ４１６を参照）を受信したか否かを判定する。演出制御部２０２Ｂは、大当たり開始コマンドを受信していないと判定した場合（Ｓ８０１：Ｎｏ）、この判定処理を繰り返すことで、大当たり開始コマンドの受信を待つ。一方、演出制御部２０２Ｂは、大当たり開始コマンドを受信したと判定した場合（Ｓ８０１：Ｙｅｓ）、ステップＳ８０２において、ランプ制御部２５１や音声制御部２５２に対して大当たり開始処理コマンドを送信し、ステップＳ８０３の処理に移行する。
【００９９】
演出制御部２０２Ｂは、ステップＳ８０３において、主制御部２０１からラウンド別の大当たりコマンド（図５のステップＳ４１７を参照）を受信したか否かを判定する。演出制御部２０２Ｂは、大当たりコマンドを受信していないと判定した場合（Ｓ８０３：Ｎｏ）、この判定処理を繰り返すことで、大当たりコマンドの受信を待つ。一方、演出制御部２０２Ｂは、大当たりコマンドを受信したと判定した場合（Ｓ８０３：Ｙｅｓ）、ステップＳ８０４において、ランプ制御部２５１や音声制御部２５２に対して受信したラウンド別の大当たりコマンドに対応するラウンド別処理コマンドを送信し、ステップＳ８０５の処理に移行する。
【０１００】
演出制御部２０２Ｂは、ステップＳ８０５において、主制御部２０１から大当たり終了コマンド（図５のステップＳ４１８を参照）を受信したか否かを判定する。演出制御部２０２Ｂは、大当たり終了コマンドを受信していないと判定した場合（Ｓ８０５：Ｎｏ）、この判定処理を繰り返すことで、大当たり終了コマンドの受信を待つ。一方、演出制御部２０２Ｂは、大当たり終了コマンドを受信したと判定した場合（Ｓ８０５：Ｙｅｓ）、ステップＳ８０６において、ランプ制御部２５１や音声制御部２５２に対して大当たり終了処理コマンドを送信し、本フローチャートによる処理を終了する。
【０１０１】
続いて、ランプ制御部２５１によるランプ制御処理について、図９に示すフローチャートを参照して説明する。ここでは、演出制御部２０２Ｂから演出開始コマンドを受信した場合（図柄変動時）の処理について説明する。そして、ランプ制御部２５１は、図９に示すステップＳ９０１において、演出制御部２０２Ｂから演出開始コマンドを受信したか否かを判定する。ランプ制御部２５１は、演出開始コマンドを受信していないと判定した場合（Ｓ９０１：Ｎｏ）、この判定処理を繰り返すことで、演出開始コマンドの受信を待つ。一方、ランプ制御部２５１は、演出開始コマンドを受信したと判定した場合（Ｓ９０１：Ｙｅｓ）、ステップＳ９０２において、コマンド別に予め用意されているコマンド別データを読み出し、ステップＳ９０３の処理に移行する。
【０１０２】
ランプ制御部２５１は、ステップＳ９０３において、コマンド別の選択ルーチンを実行し、ステップＳ９０４において、受信した演出開始コマンドに対応したランプデータをセットし、ステップＳ９０５において、ランプ２６１に対してランプデータを出力し、ステップＳ９０６の処理に移行する。そして、この処理によってランプ２６１は、ランプデータに基づいて点灯又は消灯する。
【０１０３】
ランプ制御部２５１は、ステップＳ９０６において、演出制御部２０２Ｂから演出停止コマンドを受信したか否かを判定する。ランプ制御部２５１は、演出停止コマンドを受信していないと判定した場合（Ｓ９０６：Ｎｏ）、この判定処理を繰り返すことで、演出停止コマンドの受信を待つ。一方、ランプ制御部２５１は、演出停止コマンドを受信したと判定した場合（Ｓ９０６：Ｙｅｓ）、ステップＳ９０７において、ランプデータの出力を停止し、本フローチャートによる処理を終了する。
【０１０４】
なお、図９にはランプ制御部２５１の処理を記載したが、音声制御部２５２による音声制御も、図９の処理とほぼ同様である。音声制御部２５２による音声制御処理は、例えば、図９の処理において、ステップＳ９０４、Ｓ９０５、Ｓ９０７の「ランプデータ」を「音声データ」と読み替えればよい。
【０１０５】
（制御信号のデータフォーマット）
次に、主制御部２０１が出力する通常の制御信号の一例を説明する。
【０１０６】
図１０において、通常の制御信号が示す制御コマンド情報１０１０は、コマンド値１００１と付随データ１００２とを有している。コマンド値１００１は、上述したコマンド値であり、例えばリーチコマンドや大当たり開始コマンド、ラウンド別コマンドなどの各コマンド固有のデータである。また、付随データ１００２は、コマンド値１００１に付随するデータであり、例えば、入賞した遊技球の数などのコマンド値１００１に基づく処理に必要なデータである。
【０１０７】
（認証情報のデータフォーマット）
次に、上述した制御信号とは異なる認証情報信号が認証情報を有する場合の一例を説明する。なお、本実施形態では、主制御部２０１が中間部２０２Ａに認証情報信号を出力することで、認証情報を主制御部２０１から中間部２０２Ａに送信する場合を前提に説明する。
【０１０８】
図１１において、認証情報１０２０は、識別部１０２１と、データ部１０２２と、を有して構成している。そして、識別部１０２１は、認証情報１０２０を識別することが可能な識別データが設定される。識別データの一例としては、１種類の認証コマンドが挙げられ、例えば１６進数の０ｘＡ０、０ｘＢ０、等の値が設定される。これにより、中間部２０２Ａは、識別部１０２１に基づいて認証情報１０２０を識別することができる。そして、認証コマンドは、上述したコマンド値１００１の制御コマンドと異なるコマンドとすることで、コマンド値１００１との区別化を図ることができる。
【０１０９】
データ部１０２２は、上述した履歴データに個体識別値を付加した認証データが設定される。なお、本実施形態では、認証情報１０２０が識別部１０２１とデータ部１０２２を有する場合について説明するが、これに代えて、識別部１０２１を排除して、データ部１０２２のみで認証情報１０２０を構成することもできる。
【０１１０】
続いて、図１１に示す中間認証結果信号は、中間部２０２Ａが上述した認証情報１０２０を用いて主制御部２０１の認証を行った認証結果を示す中間認証結果情報１０３０を周辺部２０２Ｂに送信する。そして、中間認証結果情報１０３０は、識別部１０３１と結果部１０３２とを有して構成している。識別部１０３１は、中間認証結果情報１０３０を識別することが可能な認証結果識別データが設定される。なお、認証結果識別データとしては、認証情報１０２０の識別部１０２１に設定されたデータを流用する、予め定められたデータを用いる、など種々異なる実施形態とすることができる。そして、結果部１０３２は、中間部２０２Ａが主制御基板３１０を認証したか否かを示す認証結果データが設定される。なお、結果部１０３２は、認証不成立を示している場合、例えば、履歴データの不一致によって不成立となったことを示す詳細データを有している。
【０１１１】
（３種類以上の個体識別値と記憶順番との関係例）
主制御基板３１０は、図１２に示すように、４つの個体識別値ＵＡ、ＵＢ、ＵＣ、ＵＤをプログラムの一部として記憶している。主制御基板３１０は、個体識別値ＵＡ、ＵＢ、ＵＣ、ＵＤの順番が予め定められており、その関係は環になっている。そして、本実施例では、個体識別値ＵＡが０ｘ１１、個体識別値ＵＢが０ｘ３３、個体識別値ＵＣが０ｘ５５、個体識別値ＵＤが０ｘ７７とそれぞれ設定している。
【０１１２】
主制御基板３１０は、例えば、ぱちんこ遊技機１００の起動時、リセット時、等の予め定められたタイミングに、４つの個体識別値ＵＡ、ＵＢ、ＵＣ、ＵＤの中から先頭の個体識別値を無作為に決定する。即ち、主制御基板３１０は、予め定められたタイミング毎に、順番に並ぶ４つの個体識別値ＵＡ、ＵＢ、ＵＣ、ＵＤをローテートしてデータ記憶部３１１における記憶順番を無作為に切り替える。
【０１１３】
また、４つの記憶順番の各々を、データ記憶部３１１における相対アドレス０ｘ００、０ｘ０１、０ｘ０２、０ｘ０３と定めている。そして、主制御基板３１０は、個体識別値ＵＡを先頭と決定すると、図１３のケース１に示すように、個体識別値ＵＡ、ＵＢ、ＵＣ、ＵＤの記憶順番でデータ記憶部３１１の相対アドレス０ｘ００〜０ｘ０３番地に記憶する。また、主制御基板３１０は、個体識別値ＵＢを先頭と決定すると、図１３のケース２に示すように、個体識別値ＵＢ、ＵＣ、ＵＤ、ＵＡの記憶順番でデータ記憶部３１１の相対アドレス０ｘ００〜０ｘ０３番地に記憶する。また、主制御基板３１０は、個体識別値ＵＣを先頭と決定すると、図１３のケース３に示すように、個体識別値ＵＣ、ＵＤ、ＵＡ、ＵＢの記憶順番でデータ記憶部３１１の相対アドレス０ｘ００〜０ｘ０３番地に記憶する。また、主制御基板３１０は、個体識別値ＵＤを先頭と決定すると、図１３のケース４に示すように、個体識別値ＵＤ、ＵＡ、ＵＢ、ＵＣの記憶順番でデータ記憶部３１１の相対アドレス０ｘ００〜０ｘ０３番地に記憶する。
【０１１４】
よって、図１３に示すように、相対アドレス０ｘ００〜０ｘ０３と個体識別値ＵＡ、ＵＢ、ＵＣ、ＵＤとの対応関係は、主制御基板３１０が無作為に決定した先頭の個体識別値によって切り替えるようにしたことから、同一の相対アドレス（記憶順番）であっても、それに対応する個体識別値を変化させることができるため、主制御基板３１０は限られた数の個体識別値を記憶しても、その数以上の記憶パターンを利用することができ、限られた数の個体識別値に対する不正な解析を困難にすることができる。
【０１１５】
（制御コマンド情報のコマンド値の設定例）
制御コマンド情報１０１０のコマンド値１００１は、制御コマンド情報１０１０を識別可能なユニークな値となっている。コマンド値１００１は、乱数値との論理積の演算によって、３つ以上の個体識別値に対して予め定められた相異なる数の抽出対象の個体識別値を規定し、その個体識別値の中から１つの個体識別値を特定するための値となっている。そして、コマンド値１００１の設定は、例えば、ぱちんこ遊技機１００の設計時からその製造時までの間に設定する。そして、本実施例のコマンド値１００１は、論理積演算によって乱数値の所望のビットを取り出す（有効にする）ためのマスクデータとなっている。例えば、乱数値の下位１ビットを取り出す場合、コマンド値は０ｘ０１となり、また、乱数値の下位２ビットを取り出す場合、コマンド値は０ｘ０３となる。
【０１１６】
これにより、コマンド値１００１と乱数値との論理積の演算を行うと、コマンド値１００１が規定する乱数値の所望のビットに対応した演算値を得ることができる。よって、複数種類のコマンド値１００１の各々は、乱数値の必ず変化する任意のビットが取り出せる相異なるマスクデータとして設定する。
【０１１７】
なお、実施例の乱数値は、主制御基板３１０が制御コマンド情報１０１０のコマンド値１００１と演算するときに、主制御基板３１０が乱数値を発生させる場合について説明するが、これに代えて、例えば、ぱちんこ遊技機１００で用いる大当たり判定用乱数、その他の乱数、等を流用しても良い。
【０１１８】
（演算値と個体識別値との関係例）
本実施例では、上述した相対アドレスがコマンド値と乱数値との論理積を演算した演算値であり、該演算値から１つの個体識別値を導き出せるようにしている。なお、個体識別値が５つ以上の場合、０ｘ０４以降の演算値については、相対アドレス０ｘ００〜０ｘ０３までの繰り返しとする、または、相対アドレスを増やすことで対応することができる。
【０１１９】
（コマンド値と乱数値との演算例）
次に、コマンド値と乱数値との論理積を演算する一例を説明する。なお、コマンド値及び乱数値が８ビット、制御コマンド情報１０１０が４種類の制御コマンドＣＡ、ＣＢ、ＣＣ、ＣＤであることを前提とする。
【０１２０】
まず、図１４に示すように、制御コマンドＣＡのコマンド値は０ｘ００、制御コマンドＣＢのコマンド値は０ｘ０１、制御コマンドＣＣのコマンド値は０ｘ０２、制御コマンドＣＤのコマンド値は０ｘ０３とする。なお、４つの個体識別値は、図１３のケース１に示すように、個体識別値ＵＡ、ＵＢ、ＵＣ、ＵＤの記憶順番でデータ記憶部３１１に記憶している場合を前提に説明する。
【０１２１】
制御コマンドＣＡのコマンド値（０ｘ００）と乱数値との論理積を演算すると、乱数値の値は無効となり、演算値は０ｘ００の１つだけ（固定）となる。よって、制御コマンドＣＡと乱数値との演算値の場合、上述した相対アドレス０ｘ００〜０ｘ０３の中で選択可能な相対アドレス（記憶順番）は０ｘ００となるため、４つの個体識別値ＵＡ、ＵＢ、ＵＣ、ＵＤの中から１つの個体識別値ＵＡのみが抽出可能な個体識別値となる。
【０１２２】
制御コマンドＣＢのコマンド値（０ｘ０１）と乱数値との論理積を演算すると、乱数値は下位の１ビット目だけが有効となり、演算値は無作為に変化する乱数値によって０ｘ００又は０ｘ０１の何れか１つに特定することができる。よって、制御コマンドＣＢと乱数値との演算値の場合、上述した相対アドレス０ｘ００〜０ｘ０３の中で選択可能な相対アドレス（記憶順番）は０ｘ００又は０ｘ０１となるため、４つの個体識別値ＵＡ、ＵＢ、ＵＣ、ＵＤの中からその相対アドレスに対応（格納）した２つの個体識別値ＵＡ、ＵＢが抽出可能な個体識別値となる。
【０１２３】
制御コマンドＣＣのコマンド値（０ｘ０２）と乱数値との論理積を演算すると、乱数値は下位の２ビット目だけが有効となり、演算値は無作為に変化する乱数値によって０ｘ００又は０ｘ０２の何れか１つに特定することができる。よって、制御コマンドＣＣと乱数値との演算値の場合、上述した相対アドレス０ｘ００〜０ｘ０３の中で選択可能な相対アドレス（記憶順番）は０ｘ００又は０ｘ０２となるため、４つの個体識別値ＵＡ、ＵＢ、ＵＣ、ＵＤの中からその相対アドレスに対応（格納）した２つの個体識別値ＵＡ、ＵＣが抽出可能な個体識別値となる。そして、制御コマンドＣＣは、抽出可能な個体識別値の数が制御コマンドＣＢと一致しているが、制御コマンドＣＢの抽出可能な個体識別値ＵＢが抽出可能ではない点が相違している。
【０１２４】
制御コマンドＣＤのコマンド値（０ｘ０３）と乱数値との論理積を演算すると、乱数値は下位２ビットの全てが有効となり、演算値は無作為に変化する乱数値によって０ｘ００〜０ｘ０３の何れか１つに特定することができる。よって、制御コマンドＣＤと乱数値との演算値の場合、上述した相対アドレス０ｘ００〜０ｘ０３の中で選択可能な相対アドレス（記憶順番）は０ｘ００〜０ｘ０３の何れか１つとなるため、４つの個体識別値ＵＡ、ＵＢ、ＵＣ、ＵＤの全てが抽出可能な個体識別値となる。即ち、制御コマンドＣＤは、制御コマンドＣＡ、ＣＢ、ＣＣの何れとも抽出可能な個体識別値の数が異なっている。
【０１２５】
以上のように制御コマンドＣＡ、ＣＢ、ＣＣ、ＣＤのコマンド値と乱数値とを演算するだけで、４つの個体識別ＵＡ、ＵＢ、ＵＣ、ＵＤの中から１つ、または複数の個体識別値の中から１つというように、抽出対象の数を所望の制御コマンド情報１０１０に連携させて変化させ、その中から個体識別値を乱数値によって無作為に抽出することができる。
【０１２６】
なお、本実施例では、４つの制御コマンドＵＡ、ＵＢ、ＵＣ、ＵＤを用いる場合について説明するが、これに代えて、５つ以上の制御コマンド情報１０１０を用いる構成とすることもできる。その場合は、個体識別値の数を増やす、１つの個体識別値に複数の制御コマンドを対応付ける、等の種々異なる実施形態とすることができる。
【０１２７】
また、本発明では、上述したコマンド値を有する制御コマンドＣＡ、ＣＢ、ＣＣ、ＣＤを、例えば、ぱちんこ遊技機１００の設計時、製造時、等に、既存の複数種類の制御コマンドの中から選択して用いることで、上述したコマンド値の新規追加の発生を防止することもできる。
【０１２８】
図１５に示すように、既存の制御コマンドＣＡのコマンド値が０ｘＸ０、制御コマンドＣＢのコマンド値が０ｘＸ１、制御コマンドＣＣのコマンド値が０ｘＸ２、制御コマンドＣＤのコマンド値が０ｘＸ３であった場合、上述した４つの個体識別ＵＡ、ＵＢ、ＵＣ、ＵＤにアクセスする際、アドレス範囲を調整するアドレス生成処理を行う実施形態とする。なお、コマンド値中の「Ｘ」は１６進数の０〜Ｆの何れでもよいことを意味している。また、図１５中の制御コマンド情報１０１０、乱数値の有効ビット、抽出可能な範囲、選択可能なアドレスについては、上述した図１４で説明したものと同様とする。
【０１２９】
その場合は、アドレス生成処理の一例としては、コマンド値と乱数値との論理積による演算値から、ビットのマスク等によって下位の４ビットを抽出することで、上述した相対アドレスと一致する値を生成する。または、アドレス生成処理が、コマンド値と乱数値との演算値と変換テーブル等を用いて上記相対アドレスを生成する実施形態とすることもできる。
【０１３０】
（付加方式の一例）
次に、上述した個体識別値に対する履歴データの付加方式は、例えば、四則演算、ＸＯＲ、ＸＮＯＲ等の中から１つの演算方式をぱちんこ遊技機１００において予め定めておく。そして、付加方式を四則演算の「＋」と定めた場合、主制御基板３１０は、上述したように抽出した個体識別値を履歴データに加算した認証データを、データ部１０２２にセットして認証情報１０２０を生成する。一方、周辺基板３３０の中間部２０２Ａは、受信した認証情報１０２０のデータ部１０２２にセットされたデータから、上述したように特定した１又は複数の期待値を減算して１又は複数の認証用履歴データを抽出する。そして、３種類以上の期待値は３種類以上の個体識別値の各々と一致していることから、周辺基板３３０の中間部２０２Ａがその期待値を取り除いて抽出した１又は複数の認証用履歴データの中に、１つの正規の履歴データが抽出できたことになるため、それは中間側履歴データと一致している筈である。
【０１３１】
また、付加方式を四則演算の「−」と定めた場合、主制御基板３１０は、上述したように抽出した個体識別値を履歴データから減算した認証データを、データ部１０２２にセットして認証情報１０２０を生成する。一方、周辺基板３３０の中間部２０２Ａは、受信した認証情報１０２０のデータ部１０２２にセットされたデータから、上述したように特定した１又は複数の期待値を加算して１又は複数の認証用履歴データを抽出する。このように実施しても、３種類以上の期待値は３種類以上の個体識別値と一致していることから、周辺基板３３０の中間部２０２Ａがその期待値を加算すれば、抽出した１又は複数の認証用データの中に１つの正規の履歴データが抽出できたことになるため、それは中間側履歴データと一致している筈である。
【０１３２】
よって、付加方式は、周辺基板３３０の中間部２０２Ａが逆演算可能な演算方式であれば、どのような演算方式を用いてもよい。また、本実施形態では、主制御基板３１０が履歴データに個体識別値のみを付加する場合について説明するが、これに代えて、個体識別値と周辺基板３３０の中間部２０２Ａとの間で予め定められた付加用データ（例えば、所定の値）の双方を付加するなどの種々異なる実施形態とすることができる。
【０１３３】
（認証情報信号の送受信に関する処理）
以下に、主制御部２０１と中間部２０２Ａとの間で行う上記認証情報信号の通信例を説明する。まず、主制御部２０１のＣＰＵ２１１（第１コンピュータ）による認証情報信号の送信手順の一例を、図１６のフローチャートを参照して説明する。なお、３種類以上の個体識別値は、上述した４つの個体識別値ＵＡ、ＵＢ、ＵＣ、ＵＤであることを前提とする。
【０１３４】
ぱちんこ遊技機１００の電源がＯＮ（投入）されると、主制御部２０１は図１６に示す被認証側処理を実行し、ステップＳ１２００において、上記個体識別値生成部３１２で説明したように、前記記憶データと個体識別値生成方式とに基づいて、３種類以上の個体識別値を前記順番の並びの通り生成してデータ記憶部３１１に記憶し、その後ステップＳ１２０１の処理に進む。この処理により、予め定められた順番で並ぶ３種類以上の個体識別値が生成されたことになる。
【０１３５】
主制御部２０１は、ステップＳ１２０１において、例えば、ぱちんこ遊技機１００の起動時、リセット時、予め定められた日時、等の決定タイミング（タイミング）であるか否かを判定する。そして、主制御部２０１は、決定タイミングではないと判定した場合（Ｓ１２０１：Ｎｏ）、ステップＳ１２０４の処理に進む。一方、主制御部２０１は、決定タイミングであると判定した場合（Ｓ１２０１：Ｙｅｓ）、個体識別値の記憶順番を決定する必用があるため、ステップＳ１２０２の処理に進む。
【０１３６】
主制御部２０１は、ステップＳ１２０２において、乱数値を取得して４つの個体識別値の中から先頭の個体識別値を無作為に決定し、ステップＳ１２０３において、該決定した先頭の個体識別値から、４つの個体識別値の並び順（順番）の通りに、４つの個体識別値をデータ記憶部３１１に記憶し、その後ステップＳ１２０４の処理に進む。この処理により、４つの個体識別値がローテートされてデータ記憶部３１１に記憶されたことになる。
【０１３７】
主制御部２０１は、ステップＳ１２０４において、データ記憶部３１１に記憶されている制御コマンド情報１０１０に基づいて、制御コマンド情報１０１０の発生を検出したか否かを判定する。主制御部２０１は、制御コマンド情報１０１０の発生を検出していないと判定した場合（Ｓ１２０４：Ｎｏ）、ステップＳ１２１２の処理に進む。一方、主制御部２０１は、制御コマンド情報１０１０の発生を検出していると判定した場合（Ｓ１２０４：Ｙｅｓ）、ステップＳ１２０５において、データ記憶部３１１の履歴生成方式データと該履歴生成方式が生成対象とする制御コマンド情報１０１０に基づいて、履歴データを生成してデータ記憶部３１１に記憶し、その後ステップＳ１２０６の処理に進む。
【０１３８】
主制御部２０１は、ステップＳ１２０６において、乱数値を取得し、制御コマンド情報１０１０のコマンド値１００１と乱数値との論理積による演算を行い、該演算結果をＲＡＭ２１３等に記憶し、その後ステップＳ１２０７の処理に進む。そして、主制御部２０１は、ステップＳ１２０７において、その演算結果（相対アドレス）に対応する記憶順番の１つの個体識別値を４つの個体識別値ＵＡ、ＵＢ、ＵＣ、ＵＤの中から抽出してＲＡＭ２１３等に記憶し、その後ステップＳ１２０８の処理に進む。
【０１３９】
主制御部２０１は、ステップＳ１２０８において、前記抽出した個体識別値を、データ記憶部３１１に記憶している最新の履歴データに前記付加方式で付加した認証データ（合成値）を生成し、その後ステップＳ１２０９に進む。主制御部２０１は、ステップＳ１２０９において、識別部１０２１に認証コマンド、データ部１０２２に認証データを設定した認証情報１０２０を生成してデータ記憶部３１１に記憶し、その後ステップＳ１２１０の処理に進む。なお、主制御部２０１の認証情報１０２０を生成するタイミングは、個体識別値を生成した際、予め定められた認証タイミング等とすることができる。
【０１４０】
主制御部２０１は、ステップＳ１２１０において、前記今回生成した認証情報１０２０を、中間部２０２Ａとの間で予め定められた暗号化方法で暗号化し、ステップＳ１２１１において、予め定められた送信タイミングで、前記暗号化した認証情報１０２０に基づいて認証情報信号を生成して主制御側送信部３１８から中間部２０２Ａに対して送信し、その後ステップＳ１２１２の処理に進む。なお、主制御部２０１と中間部２０２Ａとの間で暗号化が不要な場合は、ステップＳ１２１０の処理を削除して、認証情報１０２０をそのまま中間部２０２Ａに送信する。
【０１４１】
主制御部２０１は、ステップＳ１２１２において、ぱちんこ遊技機１００の電源がオフされたか否かを判定する。そして、主制御部２０１は、電源がオフされていないと判定した場合（Ｓ１２１２：Ｎｏ）、ステップＳ１２０１の処理に戻り、一連の処理を繰り返す。一方、主制御部２０１は、電源がオフされたと判定した場合（Ｓ１２１２：Ｙｅｓ）、本フローチャートによる処理を終了する。
【０１４２】
続いて、中間部２０２ＡのＣＰＵ２３１（第２コンピュータ）による前記認証情報信号の受信処理の手順を、図１７及び図１８のフローチャートを参照して説明する。
【０１４３】
まず、中間部２０２Ａは、例えば、ぱちんこ遊技機１００の起動、リセット等に応じて、図１７に示す記憶順番確定処理を実行すると、ステップＳ１３０１において、中間側記憶部３３２を参照して主制御部２０１から受信した制御コマンド情報１０１０を取得し、その後ステップＳ１３０２の処理に進む。そして、中間部２０２Ａは、ステップＳ１３０２において、当該制御コマンド情報１０１０のコマンド値１００１に基づいて、主制御部２０１が３種類以上の個体識別値の中から抽出対象とする１又は複数の個体識別値の記憶順番を特定し、該特定結果を中間側記憶部３３２等に記憶し、その後ステップＳ１３０３の処理に進む。
【０１４４】
中間部２０２Ａは、ステップＳ１３０３において、中間側受信部３３１によって主制御部２０１から認証情報（認証情報信号）１０２０を受信したか否かを判定する。中間部２０２Ａは、認証情報１０２０を受信していないと判定した場合（Ｓ１３０３：Ｎｏ）、この判定処理を繰り返すことで、認証情報１０２０の受信を待つ。一方、中間部２０２Ａは、認証情報１０２０を受信したと判定した場合（Ｓ１３０３：Ｙｅｓ）、ステップＳ１３０４の処理に進む。
【０１４５】
中間部２０２Ａは、ステップＳ１３０４において、前記受信した認証情報１０２０を主制御部２０１の前記暗号化方式に対応した復号化方式で復号化し、該認証情報１０２０のデータ部１０２２から認証データを抽出し、前記特定結果が示す１又は複数の記憶順番の個体識別値と一致する１又は複数の期待値を、前記付加方式データに基づいて該認証データから取り除いた１又は複数の認証用履歴データを中間側記憶部３３２に記憶し、その後ステップＳ１３０５の処理に進む。なお、主制御部２０１と中間部２０２Ａとの間で暗号化が不要な場合は、ステップＳ１３０４における復号化処理を削除する。
【０１４６】
中間部２０２Ａは、ステップＳ１３０５において、前記抽出した１又は複数の認証用履歴データのうちの前記中間側履歴データと一致した認証用履歴データに対応する前記個体識別値と前記特定した記憶順番とに基づいて、主制御部２０１における個体識別値の記憶順番を検出し、該検出結果から記憶順番が確定したか否かを判定し、該判定結果を確定フラグに設定して中間側記憶部３３２等に記憶し、その後ステップＳ１３０６の処理に進む。なお、確定フラグは、省略した起動時の初期処理でクリアされる。
【０１４７】
中間部２０２Ａは、ステップＳ１３０６において、確定フラグに基づいて、記憶順番が確定したか否かを判定する。そして、中間部２０２Ａは、記憶順番が確定していないと判定した場合（Ｓ１３０６：Ｎｏ）、ステップＳ１３０３の処理に戻り、次の認証情報１０２０の受信を待つ。即ち、次の認証情報１０２０と組み合わせて記憶順番を検出することになる。一方、中間部２０２Ａは、記憶順番は確定していると判定した場合（Ｓ１３０６：Ｙｅｓ）、ステップＳ１３０７の処理に進む。
【０１４８】
中間部２０２Ａは、ステップＳ１３０７において、主制御部２０１における３種類以上の個体識別値とデータ記憶部３１１におけるその記憶順番との対応関係を確定し、認証情報１０２０による主制御部２０１の認証可能状態に遷移し、その後本フローチャートによる処理を終了する。
【０１４９】
続いて、中間部２０２Ａは、図１８に示す認証側処理を実行すると、ステップＳ１４０１において、中間側記憶部３３２を参照して中間側受信部３３１が主制御部２０１から制御コマンド情報１０１０を受信しているか否かを判定する。中間部２０２Ａは、制御コマンド情報１０１０を受信していないと判定した場合（Ｓ１４０１：Ｎｏ）、ステップＳ１４０４の処理に進む。
【０１５０】
一方、中間部２０２Ａは、制御コマンド情報１０１０を受信していると判定した場合（Ｓ１４０１：Ｙｅｓ）、ステップＳ１４０２において、主制御部２０１と同様に、中間側記憶部３３２の履歴生成方式データと該履歴生成方式が生成対象とする制御コマンド情報１０１０に基づいて、中間側履歴データを生成して中間側記憶部３３２に記憶し、その後ステップＳ１４０３の処理に進む。そして、中間部２０２Ａは、ステップＳ１４０３において、当該制御コマンド情報１０１０のコマンド値１００１に基づいて、主制御部２０１が３種類以上の個体識別値の中から抽出対象とする１又は複数の個体識別値の記憶順番を特定し、該特定結果を中間側記憶部３３２等に記憶し、その後ステップＳ１４０４の処理に進む。
【０１５１】
中間部２０２Ａは、ステップＳ１４０４において、中間側受信部３３１によって主制御部２０１から認証情報（認証情報信号）１０２０を受信したか否かを判定する。中間部２０２Ａは、認証情報１０２０を受信していないと判定した場合（Ｓ１４０４：Ｎｏ）、ステップＳ１４１１の処理に進む。一方、中間部２０２Ａは、認証情報１０２０を受信したと判定した場合（Ｓ１４０４：Ｙｅｓ）、ステップＳ１４０５の処理に進む。
【０１５２】
中間部２０２Ａは、ステップＳ１４０５において、受信した認証情報１０２０を主制御部２０１の前記暗号化方式に対応した復号化方式で復号化し、該認証情報１０２０のデータ部１０２２から認証データを抽出し、前記特定結果が示す記憶順番の個体識別値と一致する１又は複数の期待値を、前記付加方式データに基づいて該認証データから取り除いた１又は複数の認証用履歴データを中間側記憶部３３２に記憶し、その後ステップＳ１４０６の処理に進む。なお、主制御部２０１と中間部２０２Ａとの間で暗号化が不要な場合は、ステップＳ１４０５における復号化処理を削除する。
【０１５３】
中間部２０２Ａは、ステップＳ１４０６において、前記抽出した１又は複数の認証用履歴データと中間側記憶部３３２に記憶している最新の中間側履歴データを比較し、中間側履歴データと一致する認証用履歴データが存在するか否かの判定結果を中間側記憶部３３２等に記憶し、その後ステップＳ１４０７に進む。
【０１５４】
中間部２０２Ａは、ステップＳ１４０７において、一致する認証用履歴データが存在したと判定した場合（Ｓ１４０７：Ｙｅｓ）、履歴データと中間側履歴データが一致しており、通信の継続性は正当であることから、ステップＳ１４０８において、主制御部２０１の認証を成立させ、該履歴による認証成立を示す中間認証結果データを生成してＲＡＭ２３３等に記憶し、その後ステップＳ１４１０の処理に進む。一方、中間部２０２Ａは、一致する認証用履歴データが存在していないと判定した場合（Ｓ１４０７：Ｎｏ）、通信の継続性が正当ではない、又は、不正な認証情報であることから、ステップＳ１４０９において、主制御部２０１に対する認証を不成立とし、該認証不成立を示す中間認証結果データを生成してＲＡＭ２３３等に記憶し、その後ステップＳ１４１０の処理に進む。
【０１５５】
中間部２０２Ａは、ステップＳ１４１０において、前記生成した中間認証結果データを結果部１０３２に設定して中間認証結果情報１０３０を生成し、該中間認証結果情報１０３０を付加した中間認証結果信号を生成して中間側送信部３３９から周辺部２０２Ｂに対して送信し、その後ステップＳ１４１１の処理に進む。
【０１５６】
中間部２０２Ａは、ステップＳ１４１１において、ぱちんこ遊技機１００の電源がオフされたか否かを判定する。そして、中間部２０２Ａは、電源がオフされていないと判定した場合（Ｓ１４１１：Ｎｏ）、ステップＳ１４０１の処理に戻り、一連の処理を繰り返す。一方、中間部２０２Ａは、電源がオフされたと判定した場合（Ｓ１４１１：Ｙｅｓ）、本フローチャートによる処理を終了する。
【０１５７】
なお、本実施例では、中間部２０２Ａが複数の認証用履歴データを全て抽出した後に、まとめて中間側履歴データと比較する場合について説明したが、これに代えて、１つの認証用履歴データを抽出する度に中間側履歴データと比較する実施例とすることもできる。
【０１５８】
続いて、周辺部２０２ＢのＣＰＵ２４１（第３コンピュータ）による各種制御信号及び中間認証結果信号の受信処理の手順を、図１９のフローチャートを参照して説明する。
【０１５９】
周辺部２０２Ｂは、ステップＳ１５０１において、中間部２０２Ａから制御信号（制御コマンド情報１０１０）を受信したか否かを判定する。周辺部２０２Ｂは、制御信号を受信したと判定した場合（Ｓ１５０１：Ｙｅｓ）、ステップＳ１５０２において、受信した制御信号に含まれているコマンド値１００１および付随データ１００２に基づく所定の処理を行い、その後ステップＳ１５０５の処理に進む。
【０１６０】
一方、周辺部２０２Ｂは、制御信号を受信していないと判定した場合（Ｓ１５０１：Ｎｏ）、ステップＳ１５０３において、受信した信号が識別部１０３１を有しているか否か等に基づいて、中間部２０２Ａから中間認証結果信号を受信したか否かを判定する。そして、周辺部２０２Ｂは、中間認証結果信号を受信していないと判定した場合（Ｓ１５０３：Ｎｏ）、ステップＳ１５０５の処理に進む。一方、周辺部２０２Ｂは、中間認証結果信号を受信していると判定した場合（Ｓ１５０３：Ｙｅｓ）、ステップＳ１５０４の処理に進む。
【０１６１】
周辺部２０２Ｂは、ステップＳ１５０４において、受信した中間認証結果信号の結果部１０３２を参照して、中間認証結果信号は認証成立を示しているか否かを判定する。そして、周辺部２０２Ｂは、中間認証結果が認証成立を示していると判定した場合（Ｓ１５０４：Ｙｅｓ）、その認証結果をＲＡＭ２４３等に記憶し、その後ステップＳ１５０５の処理に進む。
【０１６２】
周辺部２０２Ｂは、ステップＳ１５０５において、ぱちんこ遊技機１００の電源がオフされたか否かを判定する。そして、周辺部２０２Ｂは、電源がオフされていないと判定した場合（Ｓ１５０５：Ｎｏ）、ステップＳ１５０１の処理に戻り、一連の処理を繰り返す。一方、周辺部２０２Ｂは、電源がオフされたと判定した場合（Ｓ１５０５：Ｙｅｓ）、本フローチャートによる処理を終了する。
【０１６３】
一方、周辺部２０２Ｂは、ステップＳ１５０４で中間認証結果が認証成立を示していないと判定した場合（Ｓ１５０４：Ｎｏ）、ステップＳ１５０６において、例えばスピーカ２６２（図２参照）等から報知信号を出力して、本フローチャートによる処理を終了する。なお、中間認証結果が認証成立を示していない、即ち、認証不成立を示している場合の周辺部２０２Ｂの処理については、報知信号を出力するだけで、周辺部２０２Ｂの処理を継続させるようにしてもよい。
【０１６４】
（認証処理の手順例）
次に、ぱちんこ遊技機１００において、主制御基板３１０と周辺基板３３０の中間部２０２Ａが上述した４つの個体識別値ＵＡ、ＵＢ、ＵＣ、ＵＤ及び期待値ＶＡ、ＶＢ、ＶＣ、ＶＤを用いる場合の認証例を、図２０、２１の図面を参照して説明する。
【０１６５】
まず、前提条件として、主制御基板３１０は、４つの個体識別値ＵＡ、ＵＢ、ＵＣ、ＵＤはその並び順とし、付加方式を「＋」としている。一方、周辺基板３３０は、主制御基板３１０の個体識別値ＵＡ、ＵＢ、ＵＣ、ＵＤと一致する４つの期待値ＶＡ、ＶＢ、ＶＣ、ＶＤを中間側記憶部３３２に予め記憶しておき、主制御基板３１０の付加方式が「＋」であることを記憶している。即ち、周辺基板３３０は、主制御基板３１０とは逆の付加方式である「−」を記憶している。また、制御コマンド情報１０１０は、上述した図１４に示す構成と同一になっている。
【０１６６】
図２０において、被認証者である主制御基板３１０は、例えばぱちんこ遊技機１００の起動、リセット等に応じて、前記順番の並びの通り前記４つの個体識別値ＵＡ、ＵＢ、ＵＣ、ＵＤを生成してＲＡＭ２１３等に記憶する（Ｓ１６００）。その後、主制御基板３１０は、前記生成した４つの個体識別値ＵＡ、ＵＢ、ＵＣ、ＵＤの中から無作為に先頭を個体識別値ＵＡと決定すると（Ｓ１６０１）、図１３のケース１に示すように、４つの個体識別値ＵＡ、ＵＢ、ＵＣ、ＵＤの並び順の通りに、個体識別値ＵＡから順にデータ記憶部３１１に記憶する（Ｓ１６０２）。
【０１６７】
主制御基板３１０は、制御コマンドＣＡを周辺基板３３０の中間部２０２Ａに送信すると、該制御コマンドＣＡをデータ記憶部３１１に記憶する（Ｓ１６０３）。そして、主制御基板３１０は、該送信した制御コマンドＣＡと履歴生成方式に基づいて履歴データを生成してデータ記憶部３１１に記憶する（Ｓ１６０４）。そして、主制御基板３１０は、制御コマンドＣＡのコマンド値１００１（０ｘ００）と乱数値との論理積の演算を行い、０ｘ００の演算結果をＲＡＭ２１３等に記憶する（Ｓ１６０５）。主制御基板３１０は、該演算結果は０ｘ００であることから、相対アドレスが０ｘ００番地の個体識別値ＵＡ（図１３のケース１参照）を抽出してＲＡＭ２１３等に記憶する（Ｓ１６０６）。
【０１６８】
一方、周辺基板３３０の中間部２０２Ａは、制御コマンドＣＡを受信すると、該制御コマンドＣＡを中間側記憶部３３２に記憶すると共に、該制御コマンドＣＡを周辺基板３３０の周辺部２０２Ｂに転送する（Ｓ１６５１）。そして、中間部２０２Ａは、主制御基板３１０と同様に、該受信した制御コマンドＣＡと履歴生成方式に基づいて中間側履歴データを生成して中間側記憶部３３２に記憶する（Ｓ１６５２）。中間部２０２Ａは、制御コマンドＣＡのコマンド値１００１が０ｘ００であることから、主制御基板３１０の抽出対象の記憶順番は０ｘ００であると特定する（Ｓ１６５３）。
【０１６９】
一方、周辺部２０２Ｂは、該制御コマンドＣＡを受信すると、該制御コマンドＣＡに対応した所定の処理を行う（Ｓ１６８１）。なお、本実施例では、個体識別値の記憶順番が確定する前に、周辺部２０２Ｂが制御コマンド情報１０１０に対応した所定の処理を行う場合について説明するが、これに代えて、例えば、中間部２０２Ａが個体識別値の記憶順番の確定する前は、受信した制御コマンド情報１０１０を周辺部２０２Ｂに転送しない等の他の実施例とすることもできる。
【０１７０】
その後、主制御基板３１０は、前記抽出した個体識別値ＵＡを最新の履歴データに加算（付加）した認証データＣ０を有する認証情報１０２０を生成して周辺基板３１０の中間部２０２Ａに送信する（Ｓ１６０７）。一方、周辺基板３３０の中間部２０２Ａは、受信した認証情報１０２０の認証データＣ０から、４つの期待値ＶＡ、ＶＢ、ＶＣ、ＶＤの各々を減算して（取り除いて）認証用履歴データＣ０−ＶＡ、Ｃ０−ＶＢ、Ｃ０−ＶＣ、Ｃ０−ＶＤを抽出し、それらの中に最新の周辺側履歴データと一致するものがあるか否かを判定する。そして、中間部２０２Ａは、認証用履歴データＣ０−ＶＡと一致することから、期待値ＶＡと一致する個体識別値ＵＡが前記特定した記憶順番は０ｘ００（１番目）であることを検出し、記憶順番が個体識別値ＵＡ、ＵＢ、ＵＣ、ＵＤの順であることを確定する（Ｓ１６５４）。
【０１７１】
なお、制御コマンドＣＡは、図１４に示すように、コマンド値から相対アドレスは０ｘ００のみが選択可能となっていることから、１つの認証情報１０２０で記憶順番と個体識別値との対応関係を確定することができるが、制御コマンドＣＢ、ＣＣ、ＣＤのように複数の記憶順番が選択可能な場合は、複数の認証情報１０２０を受信して記憶順番を確定することになる。
【０１７２】
例えば、制御コマンドＣＢの場合、選択対象の相対アドレスは０ｘ００か０ｘ０１かの何れかであることから、複数の認証情報１０２０に基づいて０ｘ００及び０ｘ０１と個体識別値との関係を検出して、４つの記憶順番を確定することになる。
【０１７３】
主制御基板３１０は、ぱちんこ遊技機１００の動作に応じて制御コマンドＣＡを周辺基板３３０の中間部２０２Ａに送信すると、該制御コマンドＣＡをデータ記憶部３１１に記憶する（Ｓ１６０８）。そして、主制御基板３１０は、該送信した制御コマンドＣＡと履歴生成方式に基づいて履歴データを生成してデータ記憶部３１１に記憶する（Ｓ１６０９）。そして、主制御基板３１０は、制御コマンドＣＡのコマンド値１００１（０ｘ００）と乱数値との論理積の演算を行い、０ｘ００の演算結果をＲＡＭ２１３等に記憶する（Ｓ１５０３）。主制御基板３１０は、該演算結果は０ｘ００であることから、相対アドレスが０ｘ００番地（記憶順番）の個体識別値ＵＡ（図１３のケース１参照）を抽出してＲＡＭ２１３等に記憶する（Ｓ１６１１）。
【０１７４】
一方、周辺基板３３０の中間部２０２Ａは、制御コマンドＣＡを受信すると、該制御コマンドＣＡを中間側記憶部３３２に記憶すると共に、該制御コマンドＣＡを周辺基板３３０の周辺部２０２Ｂに転送する（Ｓ１６５５）。そして、中間部２０２Ａは、主制御基板３１０と同様に、該受信した制御コマンドＣＡと履歴生成方式に基づいて中間側履歴データを生成して中間側記憶部３３２に記憶する（Ｓ１６５６）。中間部２０２Ａは、制御コマンドＣＡのコマンド値１００１が０ｘ００であることから、記憶順番の中で０ｘ００が主制御基板３１０の抽出可能な記憶順番であり、該０ｘ００に対応した個体識別値ＵＡを特定する（Ｓ１６５７）。一方、周辺部２０２Ｂは、該制御コマンドＣＡを受信すると、該制御コマンドＣＡに対応した所定の処理を行う（Ｓ１６８２）。
【０１７５】
その後、主制御基板３１０は、前記抽出した個体識別値ＵＡを最新の履歴データに加算（付加）した認証データＣ１を有する認証情報１０２０を生成して周辺基板３１０の中間部２０２Ａに送信する（Ｓ１６１２）。一方、周辺基板３３０の中間部２０２Ａは、受信した認証情報１０２０の認証データＣ１から、前記特定した個体識別値ＵＡに対応した期待値ＶＡを減算して（取り除いて）認証用履歴データＣ１−ＶＡを抽出し、該認証用履歴データＣ１−ＶＡと最新の中間側履歴データが一致するか否かに基づいて、主制御基板３１０との制御コマンド情報１０１０の通信の継続性に基づく認証を行う（Ｓ１６５８）。そして、中間部２０２Ａは、その認証結果を示す中間認証結果データを生成して周辺基板３３０の周辺部２０２Ｂに送信する（Ｓ１６５９）。
【０１７６】
図２１において、主制御基板３１０は、次の制御コマンドＣＤを周辺基板３３０の中間部２０２Ａに送信すると、該制御コマンドＣＤをデータ記憶部３１１に記憶する（Ｓ１６１３）。そして、主制御基板３１０は、該送信した制御コマンドＣＤと履歴生成方式に基づいて履歴データを生成してデータ記憶部３１１に記憶する（Ｓ１６１４）。そして、主制御基板３１０は、取得した乱数値が０ｘ０２であった場合、制御コマンドＣＤのコマンド値１００１（０ｘ０３）と乱数値（０ｘ０２）との論理積の演算を行い、０ｘ０２の演算結果をＲＡＭ２１３等に記憶する（Ｓ１６１５）。主制御基板３１０は、該演算結果は０ｘ０２であることから、相対アドレスが０ｘ０２番地（記憶順番）の個体識別値ＵＣ（図１３のケース１参照）を抽出してＲＡＭ２１３等に記憶する（Ｓ１６１６）。
【０１７７】
一方、周辺基板３３０の中間部２０２Ａは、制御コマンドＣＤを受信すると、該受信した制御コマンドＣＤを中間側記憶部３３２に記憶すると共に、該制御コマンドＣＤを周辺基板３３０の周辺部２０２Ｂに転送する（Ｓ１６６０）。そして、中間部２０２Ａは、主制御基板３１０と同様に、該受信した制御コマンドＣＤと履歴生成方式に基づいて中間側履歴データを生成して中間側記憶部３３２に記憶する（Ｓ１６６１）。中間部２０２Ａは、制御コマンドＣＤのコマンド値１００１が０ｘ０３であることから、記憶順番の全てが主制御基板３１０の抽出可能な記憶順番であり、４つの個体識別値ＵＡ、ＵＢ、ＵＣ、ＵＤの全てを主制御基板３１０が抽出可能と特定する（Ｓ１６６２）。
【０１７８】
一方、周辺部２０２Ｂは、認証成立を示す中間認証結果データを受信している状態で、当該制御コマンドＣＤを受信すると、該制御コマンドＣＤに対応した所定の処理を行う（Ｓ１６８３）。
【０１７９】
その後、主制御基板３１０は、前記抽出した個体識別値ＵＣを最新の履歴データに加算（付加）した認証データＣ２を有する認証情報１０２０を生成して周辺基板３１０の中間部２０２Ａに送信する（Ｓ１６１７）。一方、周辺基板３３０の中間部２０２Ａは、受信した認証情報１０２０の認証データＣ２から、前記特定した４つの個体識別値ＵＡ、ＵＢ、ＵＣ、ＵＤに対応した期待値ＶＡ、ＶＢ、ＶＣ、ＶＤの各々を減算して（取り除いて）認証用履歴データＣ２−ＶＡ、Ｃ２−ＶＢ、Ｃ２−ＶＣ、Ｃ２−ＶＤを抽出し、該認証用履歴データＣ２−ＶＡ、Ｃ２−ＶＢ、Ｃ２−ＶＣ、Ｃ２−ＶＤと最新の中間側履歴データが一致するか否かに基づいて、主制御基板３１０との制御コマンド情報の通信の継続性に基づく認証を行う（Ｓ１６６３）。中間部２０２Ａは、その認証結果を示す中間認証結果データを生成して周辺基板３３０の周辺部２０２Ｂに送信する（Ｓ１６６４）。
【０１８０】
主制御基板３１０は、次の制御コマンドＣＢを周辺基板３３０の中間部２０２Ａに送信すると、該制御コマンドＣＢをデータ記憶部３１１に記憶する（Ｓ１６１８）。そして、主制御基板３１０は、該送信した制御コマンドＣＢと履歴生成方式に基づいて履歴データを生成してデータ記憶部３１１に記憶する（Ｓ１６１９）。そして、主制御基板３１０は、取得した乱数値が０ｘ０１であった場合、制御コマンドＣＢのコマンド値１００１（０ｘ０１）と乱数値（０ｘ０１）との論理積の演算を行い、０ｘ０１の演算結果をＲＡＭ２１３等に記憶する（Ｓ１６２０）。主制御基板３１０は、該演算結果は０ｘ０１であることから、相対アドレスが０ｘ０１番地（記憶順番）の個体識別値ＵＢ（図１３のケース１参照）を抽出してＲＡＭ２１３等に記憶する（Ｓ１６２１）。
【０１８１】
一方、周辺基板３３０の中間部２０２Ａは、制御コマンドＣＢを受信すると、該受信した制御コマンドＣＢを中間側記憶部３３２に記憶すると共に、該制御コマンドＣＢを周辺基板３３０の周辺部２０２Ｂに転送する（Ｓ１６６５）。そして、中間部２０２Ａは、主制御基板３１０と同様に、該受信した制御コマンドＣＢと履歴生成方式に基づいて中間側履歴データを生成して中間側記憶部３３２に記憶する（Ｓ１６６６）。中間部２０２Ａは、制御コマンドＣＢのコマンド値１００１が０ｘ０１であることから、記憶順番の中で０ｘ００、０ｘ０１が主制御基板３１０の抽出可能な記憶順番であり、該０ｘ００、０ｘ０１に対応した個体識別値ＵＡ、ＵＢを特定する（Ｓ１６６７）。
【０１８２】
一方、周辺部２０２Ｂは、認証成立を示す中間認証結果データを受信している状態で、当該制御コマンドＣＢを受信すると、該制御コマンドＣＢに対応した所定の処理を行う（Ｓ１６８４）。
【０１８３】
その後、主制御基板３１０は、前記抽出した個体識別値ＵＢを最新の履歴データに加算（付加）した認証データＣ３を有する認証情報１０２０を生成して周辺基板３１０に送信する（Ｓ１６２２）。一方、周辺基板３３０の中間部２０２Ａは、受信した認証情報１０２０の認証データＣ３から、前記特定した２つの個体識別値ＵＡ、ＵＢに対応した期待値ＶＡ、ＶＢの各々を減算して（取り除いて）認証用履歴データＣ３−ＶＡ、Ｃ３−ＶＢを抽出し、該認証用履歴データＣ３−ＶＡ、Ｃ３−ＶＢと最新の中間側履歴データが一致するか否かに基づいて、主制御基板３１０との制御コマンド情報１０１０の通信の継続性に基づく認証を行う（Ｓ１６６８）。中間部２０２Ａは、その認証結果を示す中間認証結果データを生成して周辺基板３３０の周辺部２０２Ｂに送信する（Ｓ１６６９）。そして、以降も同様の処理を行う。
【０１８４】
以上説明したぱちんこ遊技機１００によれば、主制御基板３１０は並び順が予め定められた３種類以上の個体識別値を無作為にローテートさせた記憶順番で記憶し、そして、既存の制御コマンド情報１０１０のコマンド値１００１と乱数値とを演算するだけで、該演算結果に対応した記憶順番から１つの個体識別値を３種類以上の個体識別値の中から抽出し、該抽出した個体識別値を履歴データに付加した認証情報１０２０を生成して中間部２０２Ａに送信するようにしたことから、中間部２０２Ａが認証情報１０２０の履歴データを主制御基板３１０の認証に用いても、履歴データに付加された個体識別値は乱数値によって不規則に変化するため、認証情報１０２０の規則性がなくなり、認証情報１０２０に対する不正解析の防止を期待することができる。また、主制御基板３１０が３種類以上の個体識別値を主制御基板３１０の記憶データに基づいて並び順の通り生成するようにしたことから、３種類以上の個体識別値を主制御基板３１０に予め記憶しておく必要がなくなるため、主制御基板３１０の認証のために予め記憶しておくデータ量の増加を抑制することができる。そして、主制御基板３１０は認証情報１０２０の生成時までに３種類以上の個体識別値を予め記憶しておくことができるため、認証情報１０２０の生成時に複雑な演算を行う必要がなくなり、主制御基板３１０の処理負担の増加を防止できる。しかも、主制御基板３１０における３種類以上の個体識別値の記憶順番は無作為に変化することから、該記憶順番に基づいて抽出する個体識別値が変化するため、履歴データに付加する個体識別値をより一層複雑に変化させることができ、認証情報に対する不正解析の防止に貢献することができる。また、中間部は、制御コマンド情報に基づいて特定した記憶順番と認証情報から抽出した認証用履歴データとから主制御部における３種類以上の個体識別値の記憶順番を確定するようにしたことから、中間部が３種類以上の個体識別値の並び順だけを記憶していれば、主制御部が変化させた記憶順番を検出して確定することができるため、３種類以上の個体識別値と認証情報に対する不正な解析を困難にすることができる。しかも、中間部２０２Ａは、３種類以上の期待値に対し、制御コマンド情報１０１０のコマンド値１００１に対応した期待値のみを用いて認証情報１０２０から認証用履歴データを抽出し、該抽出した認証用履歴データと中間側履歴データが一致するか否かの判定結果に基づいて主制御基板３１０の認証を行うようにしたことから、相異なる複数種類のコマンド値１００１によって主制御基板３１０の抽出対象のパターンを変化させる構成としても、主制御基板３１０はその変化を判定（認識）する必用はなく、周辺基板３３０の中間部２０２Ａが主制御基板３１０の認証に係る処理を負担することができるため、複数種類のコマンド値１００１に連携させて抽出対象のパターンを切り替えることができ、認証情報１０２０に対する不正解析をより一層困難にすることができる。さらに、周辺基板３３０の中間部２０２Ａは、履歴データに基づいて制御コマンド情報１０１０の通信継続性を確認して認証するようにしたことから、不正な制御コマンド情報による不正な通信切り替えを検出することができるため、不正な通信切り替え防止に貢献することができる。しかも、中間部２０２Ａは、認証情報１０２０から１又は複数の期待値を用いて認証用履歴データを抽出することから、履歴データに正規の個体識別値が付加されていない場合、認証用履歴データと中間側履歴データは一致しないため、不正を確実に検出することができる。また、例えば主制御基板３１０と周辺基板３３０の中間部２０２Ａとの間に不正基板などが介入するような場合、該不正基板における解析負荷が増大するために処理能力を高くしなければならないため、コストや設計難易度を増大させて、不正基板の製作抑止に貢献することができる。さらに、中間部２０２Ａが主制御基板３１０に対する認証処理を行い、その中間認証結果を周辺部２０２Ｂに送信するようにしたことから、周辺部２０２Ｂは認証処理を行わずに中間認証結果を参照するだけで良いため、周辺部２０２ＢのＣＰＵ２４１の処理負荷を軽減することができる。また、中間部２０２Ａが主制御基板３１０からの制御コマンド情報１０１０の履歴を管理するようにしたことから、周辺部２０２Ｂでは制御コマンド情報１０１０の履歴管理が不要となるため、セキュリティの向上による周辺部２０２Ｂの処理負担の増加を防止することができる。しかも、中間部２０２Ａは、主制御基板３１０からの制御コマンド情報１０１０を周辺部２０２Ｂにそのまま送信することから、中間部２０２Ａが認証処理を行うと同時に、周辺部２０２Ｂが所定の処理を行うことができるため、周辺部２０２Ｂにおける所定の処理に遅れが生じることを防止できる。従って、既存の構成を利用し且つ主制御基板３１０の処理負担の増加を最小限にして、制御コマンド情報１０１０の通信継続性が確認できて、認証に用いる認証情報１０２０の解析を困難にすることができ且つ周辺部２０２ＢのＣＰＵ２４１の処理負荷を軽減することができる。
【０１８５】
また、上述したぱちんこ遊技機１００によれば、主制御基板３１０は抽出対象の個体識別値の個数や抽出パターンが異なる場合でも、コマンド値と乱数値を演算し、該演算結果から個体識別値を抽出するという共通の処理を実行するだけで良いため、抽出対象の個体識別値の個数や抽出パターン毎の処理を行う場合よりも、主制御基板３１０の処理を簡単化することができる。
【０１８６】
さらに、上述したぱちんこ遊技機１００は、複数種類の制御コマンド情報１０１０の各々に対して、前記制御コマンド情報１０１０を識別し且つ乱数値との演算によって１つの個体識別値を特定するためのコマンド値を設定するようにすれば、主制御基板３１０はコマンド値と乱数値を演算するだけで良くなり、主制御基板３１０の処理を簡単化できるため、プログラムのデータ量を削減することができる。
【０１８７】
なお、本実施形態で説明した主制御部及び中間部の制御方法は、予め用意されたプログラムをパーソナル・コンピュータやワークステーション等のコンピュータで実行することにより実現することができる。このプログラムは、ハードディスク、ＣＤ−ＲＯＭ、ＭＯ、ＤＶＤ、等のコンピュータで読み取り可能な記録媒体に記録され、コンピュータによって記録媒体から読み出されることによって実行される。また、このプログラムは、インターネット等のネットワークを介して配布することが可能な電送媒体であってもよい。
【産業上の利用可能性】
【０１８８】
以上のように、本発明は、主制御部への不正が懸念される電子機器や該電子機器が搭載される遊技機に有用であり、特に、ぱちんこ遊技機、スロット遊技機、雀球遊技機、その他各種の遊技機に適用することができる。これらの遊技機においても、上記各実施の形態と同様に構成することにより、上記各実施の形態と同様の効果を得ることができる。
【符号の説明】
【０１８９】
１００  ぱちんこ遊技機
２０１  主制御部
２０２Ａ  中間部
２０２Ｂ  周辺部（演出制御部）
３１０  主制御基板
３１１  データ記憶部
３１２  個体識別値生成部
３１３  決定部
３１４  履歴データ生成部
３１５  演算部
３１６  抽出部
３１７  認証情報生成部
３１８  主制御側送信部
３３０  周辺基板
３３１  中間側受信部
３３２  中間側記憶部
３３３  中間側履歴データ生成部
３３４  特定部
３３５  第１抽出部
３３６  記憶順番確定部
３３７  第２抽出部
３３８  中間認証結果データ生成部
３３９  中間側送信部
３５１  周辺側受信部
３５２  処理部
１０１０  制御コマンド情報
１０２０  認証情報
【要約】
【課題】主制御部の処理負担を最小限にして制御コマンドの通信継続性が確認できて、認証に用いる認証情報の解析を困難にすることができ且つ周辺部の処理負荷を軽減する。
【解決手段】主制御部は生成した３種類以上の個体識別値をローテートして記憶し、制御コマンド情報のコマンド値と乱数値を演算方式で演算し、該演算結果の記憶順番に対応する個体識別値を抽出し、該個体識別値を付加方式で履歴データに付加して認証情報を生成して中間部に送信する。一方、中間部は制御コマンド情報と認証情報とに基づいて前記記憶順番を確定する。中間部は受信した制御コマンド情報のコマンド値に基づいて主制御部が抽出対象とする記憶順番の個体識別値を特定し、該個体識別値に一致する期待値に基づいて認証情報から認証用履歴データを抽出し、該認証用履歴データと中間側履歴データとを判定した主制御部の認証結果を示す中間認証結果データを生成して周辺部に送信する。
【選択図】図３【図１】
0005226139.tif 000002
【図２】
0005226139.tif 000003
【図３】
0005226139.tif 000004
【図４】
0005226139.tif 000005
【図５】
0005226139.tif 000006
【図６】
0005226139.tif 000007
【図７】
0005226139.tif 000008
【図８】
0005226139.tif 000009
【図９】
0005226139.tif 000010
【図１０】
0005226139.tif 000011
【図１１】
0005226139.tif 000012
【図１２】
0005226139.tif 000013
【図１３】
0005226139.tif 000014
【図１４】
0005226139.tif 000015
【図１５】
0005226139.tif 000016
【図１６】
0005226139.tif 000017
【図１７】
0005226139.tif 000018
【図１８】
0005226139.tif 000019
【図１９】
0005226139.tif 000020
【図２０】
0005226139.tif 000021
【図２１】
0005226139.tif 000022